(57)【要約】  本発明は、第１要素及び第２要素の相互接続及び相互分離に適した迅速な接続及び／又は締結のためのシステムに関する。当該システムは、それぞれ第１要素及び第２要素に強固に固定されるのに適した第１構成部分及び第２構成部分を備える。第１構成部分及び第２構成部分は、さらに、第１要素及び第２要素の相互接続及び相互分離が交互に実現されるように、相互に接続され分離されるのに適する。第２構成部分は、第１構成部分の端部が第２構成部分の内部で直動できるように、端部を収容するのに適している。第２構成部分は、さらに、第２部分の外部に向かう第１構成部分の端部の直動に対抗するのに適した対抗手段を備える。
2015516548.tif 000002
【特許請求の範囲】
【請求項１】
第１及び第２要素（１００，２００）の相互接続及び相互分離に適した迅速な接続及び／又は締結のためのシステムであって
それぞれ前記第１及び第２要素（１００，２００）に強固に固定されるのに適した第１及び第２構成部分（１０，２０）を備え、
前記第１及び第２構成部分（１０，２０）は、さらに、前記第１及び第２要素（１００，２００）の相互接続及び相互分離が交互に実現されるように、相互に接続され分離されるのに適し、
前記第２構成部分（２０）は、前記第１構成部分（１０）が前記第２構成部分の内部で直動できるように前記第１構成部分（１０）の端部（１２）を収容するのに適し、
前記第２構成部分（２０）は、さらに、前記第２構成部分（２０）の外部に向かう前記第１構成部分（１０）の前記端部（１２）の直動に対抗するのに適した対抗手段を備えることを特徴とする、迅速な接続及び又は締結のためのシステム。
【請求項２】
前記第２構成部分（２０）の内部に収容された回転要素（２４）を備え、
前記回転要素（２４）は、前記第２構成部分（２０）の内部に向かう前記第１構成部分（１０）の前記端部の直動に追従して第１回転方向に回転するように設定され、かつ前記第２構成部分（２０）の外部に向かう前記第１構成部分（１０）の前記端部（１２）の直動に追従して前記第１回転方向とは逆の第２回転方向に回転するように設定され、
前記対抗手段は、前記第２回転方向における前記回転要素（２４）の回転に対抗するのに適することを特徴とする、請求項１に記載のシステム。
【請求項３】
前記第２構成部分（２０）が、前記第１構成部分（１０）の前記端部（１２）と一緒に内部空間を形成する剛性部を備え、
前記回転要素（２４）が前記内部空間の中に収容され、
前記第１構成部分（１０）の前記端部（１２）、前記剛性部、及び前記回転要素（２４）は、前記回転要素（２４）に加えられる前記剛性部及び前記端部（１２）の相互作用によって前記対抗手段の対抗力が発生するように、相互に配列されかつ形成されることを特徴とする、請求項２に記載のシステム。
【請求項４】
前記端部、前記剛性部、及び前記回転要素（２４）は、前記第２構成部分（２０）の外部に向かう前記端部の直動、及び前記第２回転方向における前記回転要素（２４）の回転に対抗する前記対抗力が、前記端部が前記第２構成部分（２０）の外部に向かって直動する間は増加する一方で、前記端部（１２）が前記第２構成部分（２０）の内部に向かって直動する間は減少するように、相互に配列されかつ形成されることを特徴とする、請求項３に記載のシステム。
【請求項５】
前記端部、前記剛性部（２１）、及び前記回転要素（２４）は、前記第２構成部分（２０）の外部に向かう前記端部（１２）の直動、及び前記第２回転方向における前記回転要素（２４）の回転に対抗する前記対抗力が、前記第２構成部分（２０）の外部に向かう前記端部の直動の間に、前記第２構成部分（２０）の外部に向かう前記端部のさらなる直動及び前記第２回転方向における前記回転要素（２４）のさらなる回転が防止される程度に増加し、その結果、前記対抗力が、前記端部及び前記回転要素（２４）の相互ロックが予め定めた相互位置で引き起こされるまで増加するように、相互に配列されかつ形成されることを特徴とする、請求項４に記載のシステム。
【請求項６】
前記第２構成部分（２０）の前記剛性部（２１）は、前記回転要素（２４）が前記第１回転方向に回転する間に前記回転要素（２４）が前記第１構成部分（１０）の前記端部（１２）に向かって押されるように、前記第１構成部分（１０）に対して方向付けされかつ形成されるか、又は方向付けされ若しくは形成されることを特徴とする、請求項１〜５のいずれか１項に記載のシステム。
【請求項７】
前記回転要素（２４）の前記剛性部（２１）との接点と、前記第２構成部分（２０）の前記端部と、の間の相互距離が、前記第２構成部分（２０）の内部に向かう前記端部（１２）の直動方向に沿って増加する一方で、前記相互距離が、前記第２構成部分（２０）の外部に向かう前記端部（１２）の直動方向へ沿って減少することを特徴とする、請求項６に記載のシステム。
【請求項８】
前記回転要素（２４）は、前記第２構成部分（２０）の内部に向かう前記端部（１２）の直動が前記第２構成部分（２０）の内部に向かう前記回転要素（２４）の少なくとも部分的な直動に変換される一方で、前記第２構成部分（２０）の外部に向かう前記端部（１２）の直動が前記第２構成部分（２０）の外部に向かう前記回転要素（２４）の少なくとも部分的な直動に転換されるように、前記端部（１２）及び前記剛性部（２１）の両方と接触することを特徴とする、請求項７に記載のシステム。
【請求項９】
前記端部（１２）及び前記剛性部（２１）によって形成された内部空間に向かう推進作用を前記回転要素（２４）に加える第１推進手段が、前記第２構成部分（２０）の内部に収容されることを特徴とする、請求項１〜８のいずれか１項に記載のシステム。
【請求項１０】
前記第１推進手段が弾性手段（２３）を備えることを特徴とする、請求項９に記載のシステム。
【請求項１１】
前記第１推進手段が、磁気及び／又は電磁気による手段（７２ａ，７２ｂ）を備えることを特徴とする、請求項９に記載のシステム。
【請求項１２】
前記第２構成部分（２０）が移動式の解放手段（２７）を備え、
前記解放手段（２７）が予め定めた第１移動方向に沿って移動する間に前記解放手段（２７）が前記回転要素（２４）に接触することによって、前記回転要素（２４）が前記第２構成部分（２０）の内部に向かって移動させられ、その結果、前記回転要素（２４）、前記端部（１２）、及び前記剛性部（２１）の間の対抗力が減少させられることを特徴とする、請求項１〜１１のいずれか１項に記載のシステム。
【請求項１３】
前記第２構成部分（２０）が、前記解放手段の前記第１移動方向とは逆の第２移動方向に沿って前記解放手段に推進作用を加える第２推進手段を備えることを特徴とする、請求項１２に記載のシステム。
【請求項１４】
前記第２推進手段が弾性手段（７１）を備えることを特徴とする、請求項１３に記載のシステム。
【請求項１５】
前記第２推進手段が電磁気による手段（６０）を備えることを特徴とする、請求項１３に記載のシステム。
【請求項１６】
前記第２構成部分（２０）が、前記解放手段と結合されたアクチュエータ手段を備え、
前記アクチュエータ手段は、前記解放手段が前記第１移動方向に沿って移動すること、すなわち、前記解放手段が前記第２推進手段から加えられた推進作用に対抗して移動することを可能にすることを特徴とする、請求項１２〜１５のいずれか１項に記載のシステム。
【請求項１７】
前記アクチュエータ手段が電磁気による手段（６０）を備えることを特徴とする、請求項１６に記載のシステム。
【請求項１８】
前記アクチュエータ手段が、形状記憶材料で作られた少なくとも１つの部分を備えることを特徴とする、請求項１６に記載のシステム。
【発明の詳細な説明】
【技術分野】
【０００１】
本発明は、２つの要素の相互締結及び相互分離を交互に実現するのに適した、迅速な接続及び／又は締結のためのシステムの技術分野に関する。
【０００２】
特に、本発明は、例えば、棚システムの直立式又は支持用の構造体及び棚、並びにフレーム（例えば家具の）及び同じ家具の扉板のような２つの要素の締結及び分離を交互に実現するのに適した、迅速な接続及び／又は締結のためのシステムの技術分野に関する。
【０００３】
従って、本発明は、特に（一般的な家庭用、乗用車用、キャンピングカー用、及び車両用の）ドア及び／又は窓のハンドル、及び／又は家庭用の家具、例えば、棚システム、整理ダンス、及び衣装戸棚等のドアのハンドルとしての用途、及び／又は公知の締結システム又は締結手段、例えば自動車のホイールを固定するボルト及びスクリュー又はナット等を置換する目的に適した、迅速な接続及び／又は締結のためのシステムに関する。
【背景技術】
【０００４】
従来技術において、２つの構成部分を相互に固定するのに用いられる接続及び／又は結合のためのシステムが公知である。例えば、棚システム及び／又は同様の構造体の組み立ての場合、棚が棚システムの支持構造体に締結されること、及び棚が支持構造体から取り外されることを可能にするシステムが公知である。最も一般的なシステムは、小型の金属部品、例えばスクリュー及びアンカー、並びに上記のスクリュー及び／又はアンカーを介して支持構造体及び種々の棚に締結されるのに適した所定の形状及びサイズの要素を備えている。棚システムの組み立ては、例えば、予め棚に固定された結合及び／又は締結のための要素に実際の組み立て中に結合（係合）される結合又は締結のための要素が、事前に棚システムに配列されていることを要求する。
【０００５】
一方では、近年の解決法によって提供される利点が認識されうるものの、それら解決法に欠点がないわけではない点に留意すべきである。
【０００６】
特に、典型的な欠点の１つとして、実際の固定要素が、スクリュー又は同様の手段によって、相互に締結されるべき要素に（例えば、棚システムの支持構造体及び種々の棚に）事前に固定される必要がある点が挙げられる。従って、全体的な組み立て時間を特定の時間よりも短縮することは不可能である。
【０００７】
さらに、近年の棚システムの場合、スクリュー又は同様の手段は、外観が好適ではなく、システムの構成部品を損傷する（引っ掻き傷又は同様の損傷をもたらす）虞があるという理由から、スクリュー又は同様の手段の使用を避ける傾向がある。
【０００８】
最後に、公知の形式の結合システム、特に実際の結合手段は、偶発的な係合解除又は結合解除に対する必要な保証及び信頼性を提供するものではない。そのため、完成した構造体の使用中に（例えば、棚から本を取る間に）棚が偶発的に支持構造体から分離する虞があるので、使用者にとっての深刻なリスク及びそれによる構造体の安定性の喪失がもたらされる。
【０００９】
さらに、（一般的な家庭用、乗用車用、キャンピングカー用、及び車両用の）ドア及び／又は窓のパネル用のハンドル、及び／又は家庭又はその他の環境で使用される家具、例えば棚システム、整理ダンス、衣装戸棚等のドア用のハンドルとして使用されるのに適した、迅速な接続及び／又は締結のためのシステムに関して、近年では多様な解決法が提案されている点に留意すべきである。しかし、いくつかの事例では機能性及び信頼性に対する要求が優先され、別の事例では美観上の要求又は寸法上の要求を満足することが意図され、別の事例では組み立て及び設置の容易さに重点が置かれるなど、上記の解決法は、別個の要求を満足するために提案されることが非常に多い。
【００１０】
従って、いかなる公知の解決策も今のところは上記の要求の全てを満足していない。例えば、古典的な形式のハンドル（回転ハンドル、ラック機構付きハンドル、又はその類似品）は、その機能性に関しては適切な保証を提供することが多いが（そのため、古典的な形式のハンドルは、家庭用のドア、窓、又はドア／窓のフレームに使用するのに最も適切かつ好適な解決策とされるが）、多くの場合、それらハンドルはかなり大きい寸法を有することを特徴としている。そのため、古典的な形式のハンドルは、例えば、キャンピングカーで特に使用されるか又は何らかの限られた空間で使用されるように意図された家具又はキャビネットのような具体的な用途には適していない。同様に、例えばキャビネットの事例のように、種々の目的で使用されるのにより適した公知の解決策は、多くの場合、サイズを小型化しかつ組み立て及び使用を容易にする単純な構造を特徴としているものの、そのような単純な構造によると信頼性及び機能性が損なわれる場合が多い。
【発明の概要】
【発明が解決しようとする課題】
【００１１】
従って、本発明の１つの目的は、従来技術において公知の解決策に内在する上記の欠点を克服することである。
【００１２】
特に、本発明の目的及び意図は、以下のように要約されうる。
【００１３】
一般的な公知の形式のドア扉、ドア、窓、及びドア／窓のフレーム用のハンドルの代替品として、例えば、棚システム及び／又は同様の構造体等の構造体の迅速な組み立てに当該技術分野で使用される、公知の接続及び／締結のためのシステムの代替品として、そして、ボルト、ナット等の固定手段の代替品として使用可能な解決法を提供することが、本発明の第１の目的である。
【００１４】
従って、特にハンドルとして使用される場合には、信頼性（ドア又は窓の偶発的な開放のリスクを排除するか又は大幅に減少させる）に関して、機能性（単純かつ即時的な操作でドア又は窓を開けることを可能にする）に関して、構造的な単純性（製造が単純かつ容易である少数の構成部品を含む）に関して、そして、対応するパネル又はドアへの組み付け及び／又は取り付けの容易性に関して、適切な保証を提供する、迅速な接続及び／又は締結のためのシステムであって、全体寸法の小さいシステムを提供することが、本発明の他の目的である。
【００１５】
より詳細には、２つの剛性要素を相互に締結するのに使用される場合に（例えば、棚システム及び／又は同様の構造体を組み立てるのに使用される場合に）、上記のシステムによって相互に固定された部品が偶発的に分離するリスクに対して適切な保証を提供する迅速な接続及び／締結のためのシステムを提供することが、本発明の他の目的である。さらに、上記のシステムは、組み立てが容易であり、単純な作業によって可能な限り迅速に組み立てられるのに適しており、単純かつ即時的な方法によって相互締結及び／又は相互接続が行われる部品に短時間で取り付けられるのに適しており、そして、非美的ではない外観及び小型化されたサイズを有している。
【課題を解決するための手段】
【００１６】
本発明は、例えば、一般的なドア、窓、及びドア／窓のフレームのハンドル、並びに家具、棚システム、整理ダンス等のハンドルの構造の技術分野で具体的かつ便利に適用されうる。このことが、以下に説明する本発明に係るシステムの適用例の殆ど全てが、家具のドア、整理ダンス、並びに一般的なドア及び／又は窓に標準的に使用されるハンドルの具体的な事例に言及している理由である。但し、本発明に係るシステムの実現可能な適用例はハンドルの具体的な事例に限定されない。逆に、本発明は、２つの要素、例えば、より複雑な構造体の２つの要素、特に、対応するハブ又は車軸に取り付けられるホイール（例えば自動車用ホイール）を迅速かつ確実に（偶発的な結合解除を回避して）相互に固定する必要のある任意の事例に、有利に適用されうる。
【００１７】
本発明は、相互接続及び相互分離を交互に達成するのに適し、かつ第１及び第２要素（例えば、ドアのフレーム、及び上記のドアのスイングパネル、又は衣装戸棚若しくはキャビネット、及びスイングドアパネルの構造体、又は引出しの前面パネル）にそれぞれ固定されるのに適した第１及び第２構成部分を備えた、迅速な接続及び／又は締結のためのシステムを提供することによって、公知の解決法（特にハンドルとして使用可能なシステム）における典型的な不都合又は欠点を克服するか又は少なくとも最小限に抑制することが可能になるという、全体的な考察に基づいている。上記の２つの構成部分の相互接続は、上記の第１構成部分の一部分が上記の第２構成部分の内部で直動することによって引き起こされ、それらの分離は、上記の第１構成部分の上記の部分が結合方向とは実質的に逆の方向に直動することによって引き起こされる。このように、例えば引出しの場合には、使用者が特別な操作を行う必要はなく、引出しを閉めてハンドルの２つの構成部分を接続するには、使用者が引出しを閉鎖方向に押すだけでよく、ハンドルの２つの構成部分を分離するには（引出しを開けるには）、使用者がハンドルを開放方向（実質的に閉鎖方向とは反対の方向）に引くだけでよいので、システム（ハンドル）の機能性が著しく単純化される。さらに、これにより、少ない個数の構成部分を特徴とするハンドルを得ることが可能になるとともに、個々の構成部分の構造が単純であることから、限られた時間及び削減されたコストによる容易な組み立てが可能になる。さらに、ハンドルの全体寸法が小型化され、美的の観点からも明らかに有利になる。
【００１８】
本発明の基礎となる他の考察は、分離方向における第１構成部分の上記の部分の直動に対抗する手段をハンドルの第２構成部分に設けることによって、追加の利点がもたらされることである。上記の対抗手段は、上記の第１構成部分の上記の部分の直動によって起動される。このように、ハンドルは２つの構成部分の偶発的なま離に抵抗して自動的に起動される。
【００１９】
第１構成部分の端部の分離方向における直動に抵抗する対抗手段によって加えられる力が、上記の端部が上記の第２構成部分の内部にロックされるまで上記の端部の直動方向に沿って増加するような対抗手段を提供することによって、追加の利点がもたらされる。
【００２０】
さらに、必要な都度、必要な間だけ上記の第１及び第２構成部分を相互分離が実現されるように、上記の対抗手段を非作動状態にするのに適した手段を第２構成部分に設けることによって、追加の利点がもたらされる。
【００２１】
ハンドルの第２構成部分が取り付けられる要素と同じ開放方向、例えば引出しの開放方向に上記の非作動化手段が直動すると対抗手段が非作動状態になるように、上記の非作動化手段が構成されると、最終的に大きな利点がもたらされることがある。このように、対抗手段を非作動状態にするための使用者の介入によって、引出しの開放が実質的に同時に実現される。
【００２２】
本発明の第１実施形態によれば、本発明の主題は、独立請求項１に係るシステム、すなわち、第１及び第２要素の相互接続及び相互分離に適した迅速な接続及び／又は締結のためのシステムであって、それぞれ上記の第１及び第２要素に固定されるのに適し、かつ上記の第１及び第２要素の相互接続及び相互分離が交互に実現されるように相互に接続され分離されるのに適した第１及び第２構成部分を備える。上記の第２構成部分は、上記の第１構成部分の端部が上記の第２構成部分の内部で直動できるように上記の第１構成部分の端部を収容するのに適し、上記の第２構成部分は、さらに、上記の第２構成部分の外部に向かう上記の第１構成部分の上記の端部の直動に対抗する対抗手段を備える。
【００２３】
従属請求項２として請求する本発明の別の実施形態によれば、本発明の主題は、上記の第２構成部分が回転要素を備える、接続及び／又は締結のためのシステムであって、上記の回転要素が、上記の第２構成部分の内部に向かう上記の第１構成部分の端部の直動によって第１回転方向に回転するように設定され、かつ上記の第２構成部分の外部に向かう第１構成部分の直動によって第１回転方向とは反対の第２回転方向に回転するように設定され、上記の対抗手段が上記の第２回転方向における上記の回転要素の回転に対抗するのに適する、接続及び／又は締結のためのシステムである。
【００２４】
従属請求項３として請求する本発明の別の実施形態によれば、上記の第２構成部分は、上記の第１構成部分の上記の端部と一緒に内部空間を形成する剛性部を備え、上記の回転要素は、上記の内部空間の中に収容され、そして、上記の剛性部、上記の端部、及び上記の回転要素は、上記の回転要素に加えられる上記の剛性部及び上記の端部の相互作用によって上記の対抗力が発生するように、形成されかつ相互に位置決めされる。
【００２５】
他の従属請求項に記載された本発明に係るシステムの付加的な実施形態によって、追加の利点が保証される。
【００２６】
添付図面に図解する本発明のいくつかの実施形態の説明を通じて、本発明について以下に説明する。但し、本発明が図解する実施形態に限定されることはなく、本発明の適用分野及び技術的範囲は、当業者にとって明白、自明、かつ即座に理解可能であると考えられる、本出願に図示され説明される実施形態の全ての変更変形及び変更を含んでいる。
【図面の簡単な説明】
【００２７】
【図１ａ】本発明に係るシステムの第１実施形態の断面図であり、当該システムの第１構成部分と第２構成部分は結合位置に在る。
【図１ｂ】本発明に係るシステムの第１実施形態の断面図であり、当該システムの第１構成部分と第２構成部分はそれらが互いから解放されようとする位置に在る。
【図１ｃ】本発明に係るシステムの第１実施形態の断面図であり、当該システムの第１構成部分と第２構成部分は解放位置に在る。
【図１ｄ】図１ａ〜図１ｃに示す本発明の実施形態に係るシステムの第１使用例を示す。
【図１ｅ】図１ａ〜図１ｃに示す本発明の実施形態に係るシステムの第１使用例を示す。
【図１ｆ】図１ａ〜図１ｃに示す本発明の実施形態に係るシステムの第２使用例を示す。
【図１ｈ】図１ａ〜図１ｃに示す本発明の実施形態に係るシステムの第２使用例を示す。
【図２ａ】本発明に係るシステムの第２実施形態の断面図であり、当該システムの第１構成部分と第２構成部分は結合位置に在る。
【図２ｂ】本発明に係るシステムの第２実施形態の断面図であり、当該システムの第１構成部分と第２構成部分はそれらが互いから解放されようとする位置に在る。
【図２ｃ】本発明に係るシステムの第２実施形態の断面図であり、当該システムの第１構成部分と第２構成部分は解放位置に在る。
【図３ａ】本発明に係るシステムの別の実施形態の断面図であり、当該システムの第１構成部分と第２構成部分は結合位置に在る。
【図３ｂ】本発明に係るシステムの別の実施形態の断面図であり、当該システムの第１構成部分と第２構成部分はそれらが互いから解放されようとする位置に在る。
【図３ｃ】図３ａ及び図３ｂに示す本発明の実施形態に係るシステムの使用例を示す。
【図３ｄ】図３ａ及び図３ｂに示す本発明の実施形態に係るシステムの使用例を示す。
【図４ａ】本発明に係るシステムの別の実施形態の断面図であり、当該システムの第１構成部分と第２構成部分はそれらが互いに結合されようとする位置に在る。
【図４ｂ】本発明に係るシステムの別の実施形態の断面図であり、当該システムの第１構成部分と第２構成部分はそれらが互いから解放されようとする位置に在る。
【図４ｃ】本発明に係るシステムの別の実施形態の断面図であり、当該システムの第１構成部分と第２構成部分は解放位置に在る。
【図５ａ】本発明に係るシステムの別の実施形態の断面図であり、当該システムの第１構成部分と第２構成部分は結合位置に在る。
【図５ｂ】本発明に係るシステムの別の実施形態の断面図であり、当該システムの第１構成部分と第２構成部分はそれらが互いから解放されようとする位置に在る。
【図５ｃ】図５ａ及び図５ｂに示す本発明の実施形態によるシステムの使用例を示す図である。
【図５ｄ】図５ａ及び図５ｂに示す本発明の実施形態によるシステムの使用例を示す図である。
【図５ｅ】図５ａ及び図５ｂに示す本発明の実施形態によるシステムの使用例を示す図である。
【図６ａ】本発明に係るシステムの別の実施形態に関する図である。
【図６ｂ】本発明に係るシステムの別の実施形態に関する図である。
【図６ｃ】本発明に係るシステムの別の実施形態に関する図である。
【図６ｄ】本発明に係るシステムの別の実施形態に関する図である。
【図７ａ】本発明に係るシステムの別の実施形態の断面図であり、当該システムの第１構成部分と第２構成部分は結合位置に在る。
【図７ｂ】本発明に係るシステムの別の実施形態の断面図であり、当該システムの第１構成部分と第２構成部分はそれらが互いから解放されようとする位置に在る。
【図８ａ】本発明に係るシステムの別の実施形態の前面図である。
【図８ｂ】本発明に係るシステムの別の実施形態の断面図である。
【図８ｃ】本発明に係るシステムの別の実施形態の断面図である。
【図９ａ】本発明に係るシステムの別の実施形態の側面図である。
【図９ｂ】本発明に係るシステムの別の実施形態の断面図である。
【図９ｃ】本発明に係るシステムの別の実施形態の断面図である。
【図９ｄ】図７ａ及び図７ｂに示す実施形態の変形例の詳細図である。
【図９ｅ】図７ａ及び図７ｂに示す実施形態の変形例の詳細図である。
【図９ｆ】図７ａ及び図７ｂに示す実施形態の変形例の詳細図である。
【図１０ａ】本発明の別の実施形態のいくつかの構成部品の前面図である。
【図１０ｂ】本発明の別の実施形態のいくつかの構成部品の平面図である。
【図１１ａ】本発明の別の実施形態のいくつかの構成部品の前面図である。
【図１１ｂ】本発明の別の実施形態のいくつかの構成部品の平面図である。
【図１２ａ】本発明に係るシステムの別の実施形態の断面図である。
【図１２ｂ】本発明に係るシステムの別の実施形態の断面図である。
【図１２ｃ】本発明に係るシステムの別の実施形態の断面図である。
【図１３ａ】本発明に係るシステムの別の実施形態の断面図である。
【図１３ｂ】本発明に係るシステムの別の実施形態の断面図である。
【図１３ｃ】本発明に係るシステムの別の実施形態の断面図である。
【図１４ａ】本発明に係るシステムの別の実施形態の断面図である。
【図１４ｂ】本発明に係るシステムの別の実施形態の断面図である。
【図１４ｃ】本発明に係るシステムの別の実施形態の断面図である。
【図１５ａ】本発明に係るシステムの別の実施形態の断面図である。
【図１５ｂ】本発明に係るシステムの別の実施形態の断面図である。
【図１５ｃ】本発明に係るシステムの別の実施形態の断面図である。
【図１６】本発明の係るシステムの別の実施形態の断面図である。
【図１７ａ】本発明に係るシステムの別の実施形態の断面図である。
【図１７ｂ】本発明に係るシステムの別の実施形態の断面図である。
【図１７ｃ】本発明に係るシステムの別の実施形態の断面図である。
【図１７ｄ】本発明に係るシステムの別の実施形態の断面図である。
【図１８】本発明に係るシステムの別の実施形態の構成部品の前面図である。
【発明を実施するための形態】
【００２８】
図１ａ〜図１ｃに示す本発明の第１実施形態は、以下に詳細に説明する通り相互作用するのに適した第１構成部分１０及び第２構成部分２０を備えている。第１構成部分１０は、（例えば、金属、プラスチック、又は他の同様に剛性材料の）小型の棒のような形状を有しており、第１要素１００、例えば、一般的な棚システム若しくは整理ダンス、又は側柱若しくはドア／窓のフレームの支持構造体に強固に固定されるのに適している。第２構成部分２０は、ハンドルの形状に作製されており、第２要素２００、例えば、回転ドア若しくは窓、又は引出しの前面パネルに強固に固定されるのに適している。この目的のために、第２構成部分２０は、要素２００の適切な着座部に収容される第１部分と、ハンドルノブの役割を果たす第２部分２８、いわゆる外側部分２８と、を備えている。第１構成部分１０は、第１端部１１と、第１端部１１の反対側の第２端部１２と、を備える。第１構成部分は第１端部１１を介して要素１００に固定される。第２端部１２は、完全に第２構成部分の中に形成される相補的かつ対応した形状を有する中空着座部２５の中に受容されて収容されている。第２構成部分２０の内部には、１つの側面が第１構成部分１０の端部１２に対して傾斜する剛性部２１（例えば金属ストラップ）によって形成された空間２６が設けられている。特に、端部１２は、着座部２５の内部において、傾斜部２１の反対側で空間２６をかすめて移動するのに適している。明確化のために、以下では、図１ａの左から右への端部１２の移動方向を、第２構成部分２０の内部に向かう直動方向と定義し、図１ａ及び図１ｂの右から左に向かう端部１２の直動方向を、第２構成部分２０の外部に向かう直動方向と定義する。剛性部２１の傾斜によって、端部１２が第２構成部分２０の外部に向かう直動方向に沿って進むときには剛性部と端部１２との間の距離が減少し、端部１２が反対方向、すなわち構成部分２０の内部に向かう直動方向に沿って進むときには剛性部と端部１２との間の距離が増加する。空間２６の内部には、さらに、剛性要素２２（例えば小型の円筒形の棒）に固定又は嵌合されたコイルばね２３が設けられる。剛性要素の外径は、実質的にコイルばね２３の内径と一致している。常に空間２６の内部に位置する回転直動要素２４、例えば、小型シリンダ、鉄棒、又はボールは、コイルばね２３の自由端のレベルに位置決めされているので、コイルばね２３は、剛性部２１と端部１２との間の距離が減少する空間２６の端部に向かう推進作用を回転要素２４に加えるようになっている。同様に第２構成部分２０の内部（適合する形状の適切な着座部）に位置する解放要素２７は、第２構成部分２０の内部で端部１２の直動方向と実質的に平行な方向に、すなわち図１ａの左から右に向かって（構成部分２０の内部に向かって）直動するとともに図１ａの右から左に向かって（構成部分２０の外部に向かって）直動するのに適している。解放要素２７は、特に、使用者がノブ２８に加えた作用によって、すなわち使用者がノブ２８に図１ａの左から右に向かって加えた牽引作用によって構成部分２０の内部に向かって直動するのに適している（従って、解放要素２７とノブ２８は、例えば、構成部分２０の内部に収容された図示しない接続手段を介して相互に接続されている）。解放要素２７は、使用者がノブ２８に牽引方向とは反対の方向、すなわち図１ａの右から左に向かって加えた推進作用によって、構成部分２０の外部に向かって直動するようになっている。第２構成部分２０の内部に向かって直動する間に、解放要素２７は、回転要素２４に寄り掛かり、ばね２３の作用に対抗して回転要素を第２構成部分２０の内部に向かって押すので、回転要素は、剛性部２１と第１構成部分１０の端部との間の距離が増加する内部空間２６の部分に向かって押されることになる。
【００２９】
図１ａ〜図１ｃに示す本発明の実施形態による接続システム（ハンドル）の操作は、以下のように要約されうる。第１構成部分１０及び第２構成部分２０の相互接続は、第１構成部分１０の端部１２が第２構成部分２０の内部に向かって直動又は滑動することによって達成される。端部１２が第２構成部分２０の内部に向かって直動する間に、剛性部２１に対向する端部１２の表面が回転要素２４の外面に当接するので、回転要素２４は、先ず右回りに回転させられ、次いで端部１２と回転要素２４との間に発生する摩擦によって直動させられる。上記の回転要素２４は、第１構成部分１０の端部１２に対向する剛性部２１の表面にも当接する。右回りの回転及びその後の直動の間に、回転要素２４は、ばねの作用に対抗して（図１ａの左から右に）、すなわち、剛性部２１と第１構成部分１０の端部１２との間の距離が増加する空間２６の部分に向かって移動する。従って、回転直動要素２４は、端部１２が構成部分２０の内部に向かって移動するのを妨害しないので、端部１２は、図１ａに示す構成部分２０の内部の最終位置に到達できる。このように、端部１２の最終位置は、２つの要素１００，２００が予め定めた位置で相互にロックされるような、第１構成部分１０と第２構成部分２０との間の相互ロック位置と定義される。
【００３０】
従って、図１ａに示すロック位置では構成部分２０の外部に向かう端部１２の偶発的な直動は不可能であるので、第１構成部分１０及び第２構成部分２０の偶発的な解放（及びそれによる引出し若しくはドア、又は窓等の偶発的な開放）は不可能である。事実、構成部分２０の外部に向かう端部１２の直動の間に、回転要素２４は左回りに回転するように設定され、かつ必要に応じて（端部１２と回転要素２４自体との間の摩擦によって）直動するように設定されるので、剛性部２１と端部１２との間の距離が減少する空間２６の部分に向かって移動されることになる。空間２６の当該部分に向かう（すなわち実質的に構成部分２０の外部に向かう）回転要素２４の移動によって、回転要素２４が端部１２と剛性部２１との間に係合するので、或る時点において、要素２１が左回りにさらに回転することも、端部１２が構成部分２０の外部に向かってさらに直動することも不可能になる。言い換えると、回転要素が左回りに回転する間の或る時点、及び端部１２が外部に向かって直動する間の或る時点において、回転要素２４が端部１２と剛性部２１との間に係合して端部１２をロックすることになる。従って、例えば、（ノブ２８に作用を加えずに）ドア又は引出し等（要素２００）に直接作用を加えて構成部品２０を除外することによってドア又は引出しを開けようと欲する使用者は、構成部分２０及び構成部分１０の相互解放を達成することができず、それゆえにドア又は引出しを開けることができない。他方、２つの構成部分１０，２０の相互解放（すなわちドア又は引出しの開放）は、ノブ２８を図１ｂに示すように左から右に、すなわち構成部分２０の内部に向かって解放要素２７を引いて直動させることによって実現される。実際、構成部分２０の内部に向かって直動する間に、解放要素２７は、上述した通り、回転直動要素２４を構成部分２０の内部に向かって、すなわち、剛性部２１と端部１２との間の距離が増加する空間２６の部分に向かって押すことになる。このようにして、回転直動要素２４の外面と剛性部２１に対向する端部１２の表面との間の抵抗作用（摩擦）が（回転直動要素２４が端部１２と接触しなくなる位置に完全に排除される程度まで）減少する。従って、このような状態において、構成部分２０の外部に向かう端部１２の直動は、回転要素２４の左回りの回転も、外部に向かう（端部１２と剛性部２１との間の距離が減少する空間２６の部分に向かう）回転要素の移動又はシフトも生じさせないので、端部１２は図１ｃに示すように完全に構成部分２０の外側に移動するまで自由に直動できる。従って、上記の内容から理解されるように、例えば、図１ａに示すように左から右に向かって整理ダンスから引き出し可能な引出し２００の場合、使用者が引出し２００を開けるには、引出しと同じ方向にノブを引くだけでよく、その結果、ノブ２８に加えられる牽引操作のみによって、先ずシステムの２つの構成部分２０，１０の相互解放が実現され、さらに引出し自体の開放が実現される。逆に、ノブ２８に作用を加えずに引出し２００を開けようとすると、システムの２つの構成部分２０，１０の相互ロックが引き起こされる。
【００３１】
図１ｄ及び図１ｅは、上述した本発明の実施形態によるシステムの第１の使用例又は適用例を概略的に示している。本事例における第１構成部分１０は、整理ダンス又はキャビネット３００の支持構造部１００に強固に固定されており、第２構成部分２０は、システムのノブ２８が前面パネル２００からキャビネット３００の外部に向かって突出するように、引出し２００の前面パネルに取り付けられている。従って、引出しの開閉は、上述した手順に従ってノブ２８を引く作用又は押す作用を加えることによって達成される。
【００３２】
上述した本発明によるシステムの実施形態の第２の適用例又は使用例が図１ｆ及び図１ｈに示されている。本事例における要素１００は垂直壁によって構成されており、要素２００は棚によって構成されている。２つの構成部分１０は垂直壁１００に強固に固定されており、２つの構成部分２０は、垂直壁１００に対向するように構成された棚２０の縁に固定されている。図１ｆ及び図１ｈに示す棚システムの組み立ては、予め構成部分１０を垂直壁１００に固定するとともに、構成部分２０を棚の対応する位置に固定することによって達成される。最後に、棚２００を垂直壁１００に向かって押すと、構成部分１０，２０が相互にロックされることによって棚２００が垂直壁１００に締結される。従って、棚を取り外すためには、上述した通り構成部分１０及び／又は構成部分２０のみに作用を加え、次いで棚２００を垂直壁１００から離れる方向に移動させればよい。
【００３３】
本発明に係るシステムの別の実施形態について、図２ａ〜図２ｃを参照して以下に説明する。図２ａ〜図２ｃにおいて、本発明に係るシステムの既に説明した構成部品又は特性は、同じ参照番号によって識別される。
【００３４】
図２ａ〜図２ｃに示す実施形態は、図１ａ〜図１ｃを参照して上述した実施形態に存在する構成部品の多くを備えている。事実、図２ａには、第１端部１１と、第２構成部分２０の内部で滑動及び直動できるように第２構成部分２０の内部の着座部２５に収容された第２端部と、を有する第１構成部分１０が示されている。上記の第１構成部品１０は第１端部１１を介して第１要素１００に固定される。この場合も構成部分２０の内部に空間２６が設けられており、その内部空間２６は、端部１２が収容されて滑動する着座部２５に接触するようになっている。この場合も、内部空間２６は端部１２の滑動方向に対して傾斜した剛性部２１によって形成されており、剛性部２１と端部１２との間の距離は構成部分２０の外部に向かって減少するようになっている。支持要素２２が上記の空間２６の内部に延在しており、支持要素２２には、それに係合するコイルばね２３が設けられている。コイルばねは、構成部分２０の外部に向かって（すなわち、剛性部２１と端部１２との間の距離がより小さくなる空間２６の部分に向かって）空間２６の内部に収容された回転直動要素２４（例えば、小型シリンダ、爪、又はボール）を押すようになっている。本実施形態と前述した実施形態との間の主要な相違点は、本実施形態では、前述した実施形態におけるハンドグリップ又はノブが中空体又はケーシング２８に置換されている点である。中空体を介して、第２構成部分２０は要素２００に、特に、第１構成部分１０及び要素１００に対向する要素２００の側面に固定されている。中空体２８は、第２構成部分２０の本体上を図中の左から右に向かう方向、及び右から左に向かう方向に（すなわち、端部１２の滑動方向と実質的に平行な方向に沿って）滑動するようになっており、第２コイルばね３０は、第２構成部分２０の本体と中空体２８との間に形成された適切な着座部に収容されている。従って、コイルばね３０は中空体２８を図中の右から左に押すので、中空体がコイルばね３０の作用に対抗して左から右に移動することが分かる。解放要素２７は、中空体２８が左から右に直動する間に中空体２８によって第２構成部分２０の内部に向かって駆動されるのに適している。
【００３５】
上述した実施形態と同様に、構成部分２０の内部に向かって直動する間に、解放要素２７が、回転直動要素２４を、剛性部２１と第１構成部分１０の端部１２との距離がより大きくなる空間２６の部分に向かって押すので、端部１２が第２構成部分２０の外部に向かって直動できるようになり、それにより第１構成部分１０及び第２構成部分２０の相互解放が実現されうる（その結果、要素１００は要素２００から解放される）。従って、本事例においても、端部１２を第２構成部分２０に挿入するだけで第１構成部分１０及び第２構成部分２０の相互ロックが達成される。但し、本事例においては、要素２００に作用を加えて要素２００を要素１００から離れる方向に移動させるだけで相互解放が達成される。このように、第１要素及び第２要素が最初は相互ロック位置に在るため相互に拘束されているので、要素２００に作用を加えて要素２００を要素１００から離れる方向に移動させると、ケーシング２８が先ず第２構成部分２０上で（ばね３０の作用に対抗して）滑動し、次いで解放要素２７を駆動する。その結果、解放要素は、回転直動要素２４の外面が端部１２と接触しなくなるか若しくは僅かに接触するだけの位置に当該要素２４が到達するか、又は回転直動要素２４の外面と端部１２との間の摩擦が最小になる位置に当該要素２４が到達するまで、剛性部２１と端部１２との間の距離がより大きくなる内部空間２６の部分に向かって回転直動要素２４を押すことになる。このようにして、要素２４から端部１２に加わる対抗作用が除去されるので、要素２００が要素１００から離れる方向に移動するように要素２００に加えられる連続的な作用によって、端部１２が構成部分２０の外側に移動するので、２つの構成部分１０，２０及び２つの要素１００，２００が解放される。構成部分２０の内部に向かって直動する解放要素２７が剛性部２１によって妨害又は遮断されるのを防止するために、解放要素２７は構成部分２０の外側に面した剛性部２１の端部を収容する適切な着座部２９を備えている（この点については図２ｂを参照）。
【００３６】
図３ａ及び図３ｂに示す、本発明に係るシステムの別の実施形態において（例によって、既に説明した構成部品及び／又は特性は同じ参照番号によって識別される）、第１構成部分１０は、前述した実施形態の第１構成部分に非常に類似しており、一方の端部は、第１要素１００（例えば棚）に固定されており、第２端部は、第２構成部分２０の内部に滑動可能に収容されている。上記の第２構成部分２０は、本事例においては、下側部品Ｉ及び上側部品Ｓを備えており、上記の下側部品Ｉの中に円錐台形又は漏斗形の着座部が形成されることによって内部空間２６が形成されている。内部空間２６には、ボール２４が回転可能に収容されており、それらボール２４は、上記の円錐台形の着座部の中央ピンの周りに円形に配列されている。弾性推進手段２３は、ボールを円錐台形の着座部の外部に向かって、すなわち、上記の円錐台形の着座部の浅い方の部分に向かって推進するように、中央ピンとボールとの間に配置されている。第１構成部分１０の端部１２が滑動又は直動できる空隙２５が上側部分Ｓの内部に形成されるように、上側部分Ｓは下側部品Ｉの上方に予め定めた距離で位置決めされている。円錐台形の着座部の下面は、上述した実施形態における傾斜部２１に相当するので、ボール、円錐台形の着座部の下面２１、及び端部１２の間の相互作用は、上述した実施形態において発生する作用と非常に類似しており、第１構成部分の端部１２を第２構成部分２０の内部に向かって挿入する工程は、先の実施形態のために説明した工程と殆ど等しい方法で行われる。但し、本実施形態の特別な特徴として、図３ｂ中の矢印で示すようにノブ２８を回転させることによって、第１構成部１０の端部１２が滑動する着座部２５の断面が増加するように、上側部分Ｓと下側部分Ｉとの間の距離を変化させる（特に増加させる）ことが可能である点が挙げられる。第２構成部分２０からの第１構成部分１０の解放、すなわち第２要素２００からの第１要素１００の解放は、上側部分Ｓが図３ａに示す位置から図３ｂに示す位置に移動するようにノブ２８に作用を加えることによって達成される。上側部品Ｓが図３ｂに示す位置に在る場合には、端部１２が第２構成部分２０の外部に向かって直動する間に、端部１２が１つ以上のボール２４を回転させることはないので、ボールが円錐台形の着座部２６の外側部分に向かって駆動されることはなく、ボール２４と端部１２との間に摩擦又は抵抗作用が発生することはない。そのため、端部１２は第２構成部分２０の外に自由に移動できる。
【００３７】
図３ｃ及び図３ｄは、上述した実施形態の適用例及び／又は使用例を示している。上述した適用例において、第１構成部分１０は、棚１００に固定されており、第２構成部分２０は、ポスト２００、例えば支柱に挿入されている。このように、第１構成部分１０の端部が第２構成部分２０の上側部品Ｓと下側部品Ｉとの間の空隙２５に挿入されることによって、第１要素１００が支柱２００に締結される一方で、上述した通りシステムの２つの構成部品１０，２０が解放されることによって、上記の第１要素１００及び第２要素２００が互いから解放される。本実施形態によって提供される利点の１つとして、単一の構成部分２０を使用するとともに第１要素を当該単一の構成部分２０の円周に沿って配列することによって、複数の要素１００を支持体２００に締結できることが挙げられる。
【００３８】
図４ａ〜図４ｃに示す本発明に係るシステムの実施形態は、容器、例えば図中に示す廃棄物コンテナに非常に便利に適用されうる（例によって、他の図面に関連して上述した構成部品及び／又は特徴は、同じ参照番号によって識別される）。但し、本発明の同じ実施形態は、例えば、ダンプカー若しくは重量車両、農業用機械、及び／又は建設機械等にも、先の例と同様に便利に適用されうる。特に、図４ａ〜図４ｃに示す本発明の実施形態によるシステムの第１構成部分１０は、コンテナ３００の本体１００に固定されており、第２構成部分２０は、コンテナのドア２００の適切な着座部に収容されている。上記のドア２００は、例えばヒンジ等の回転式の拘束体２０１を介してコンテナ３００の本体１００に拘束されている。構成部品の配列は前述した実施形態における配列と実質的に同じであるので、第１構成部分１０の端部と第２構成部分２０の内部に収容される構成部品（傾斜面によって形成された内部空間に収容される回転直動要素及びばね等）との間の相互作用に関しては先の説明（特に図１ａ〜図１ｃに示す発明の第１実施形態の説明）を参照する必要があるものの、本実施形態の具体的な特徴は、第２構成部分２０の内部に第２構成部分２０の内部及び外部、特にコンテナ３００の内部及び外部と連通するＶ字形の着座部４３が設けられるという事実によって表されることに留意すべきである。上記の着座部４３の内部には、着座部４３の内部を自由に移動可能な小型の球体４２が配置されている。特に、着座部４３の内部における小型の球体４２の移動は、使用者がコンテナ３００及び／又はドア２００に作用を加えるときに、例えば、使用者がコンテナ３００及び／又はドア２００を図中の矢印Ａ及び矢印Ｂで示されるように回転させるときに、重力の作用によって引き起こされる。レバー４４（以下の説明から明確に理解されるように、レバーは上述したノブ２８と同様の役割を果たす）は、その一部が構成部分２０の内部に滑動可能に収容され、かつ解放要素２７（明瞭化のために図示はしない）と接続されるように配置される一方で、レバー４４の第２部分は、その自由端がコンテナ３００の外側に面したＶ字形の着座部の開口部のレベルになるように配置される。レバー４４に対する構成部分２０の反対側には、回転式の拘束体４１、例えばヒンジを介して構成部分２０に回転式に拘束された第２ロッキングレバー４０が設けられており、第２レバー４０の端部がコンテナ３００内側に面した着座部４３の開口部のレベルにされる一方で、レバー４１の反対側の端部は、解放要素２７のレベルに位置決めされる。
【００３９】
従って、システムの２つの構成部分１０，２０の相互解放、及びそれによるドア２００の開放は、以下のように要約されうる。
【００４０】
図４ｂ中の矢印Ｂの方向に（すなわち右回りに）コンテナを回転させると、小型の球体がレバー４４に衝突することによってレバー４４がコンテナ３００及び第２構成成分２０の外部に向かって推進されて直動するまで、小型の球体が上記の着座部４３の外側の開口部に向かって着座部４３の内部を滑動するので、その時点で回転要素に作用している解放要素２７は、回転要素と第１構成部分１０との間に生じる摩擦、すなわち抵抗作用が除去されるか又は少なくとも減少して第１構成部分１０及び第２構成部分２０の相互解放が実現される位置に到達するまで、構成部分２０の内部に収容されたレバー４４の部分によって当該部分と一緒に動かされる。このように常に重力の作用によってドアが図４ｃに示すように自動的に開けられ、その結果、コンテナが空にされうる。
【００４１】
同様に、図４ａ中の矢印Ａの方向に回転するようにドア２００に作用を加えると、先ず、第１構成部分１０及び第２構成部分２０が互いに拘束された状態で、コンテナ３００の全体が少なくとも部分的に同じ回転方向（左回り）に回転される。引き続きドア２００（及び／又はコンテナの全体）が同じ回転方向に回転されると、小型の球体４２が重力によって着座部４３の内部でコンテナの内側に面した着座部４３の開口部に向かって移動して、上記の開口部のレベルに位置決めされたロッキングレバー４０の端部に衝突する。小型の球体４２がロッキングレバー４０の端部に衝突すると、ロッキングレバーの端部が拘束体４１の周りで回転されるので、ロックキングレバーの第２端部が構成部分２０の内部に向かって押されることによって、解放要素２７が第２端部の押し動作中に第２端部と一緒に動かされる。この時点で、第１構成部分１０及び第２構成部分２０は相互に解放されているので、ドア２００を開けることが可能である。上述した内容から明らかなように、本実施形態によって提供される大きな利点として、システムの構成部分１０，２０の相互解放（及びそれによるコンテナ１００の本体からのドア２００の解放）がドア又はコンテナに直接的な作用を加えることによって達成されるので、システムの２つの構成部分の一方には直接的な作用を加える必要がない点が挙げられる。
【００４２】
本発明に係るシステムの別の実施形態について、図５ａ及び図５ｂを参照して以下に説明する。
【００４３】
本実施形態において、システムの第１構成部分１０は、第１要素１００の適切な着座部１０１に挿入されて当該着座部に部分的に収容されるのに適した中空の管状要素の形状を有している。第２構成部分２０は、第１構成部分１０の端部１２を収容するのに適した中空体によって構成されており、本事例における端部は第１要素１００の片側（図５ａ及び図５ｂの右側）に延びている。第１要素１００に向かって直径が減少する円錐台形の表面２２を形成する上記の端部１２の部分は、第１構成部分１０の端部１２の外面から延びている。同様に、第２構成部分２０は、円錐台形の表面２２に対向する円錐台形の表面を形成する円錐台形の部分２１を備えており、それにより空隙２６が形成されている。円錐台形の部分２２によって形成された円錐台形の表面には、ボール又は同様の要素のような回転要素を収容する円周溝が設けられている。第１構成部分１０は、雄ねじ部を備えた合せ釘５０が係合している半径方向の着座部５５を備えており、上記の合せ釘５０の雄ねじ部は、合せ釘の係合式着座部の雌ねじ部と係合するようになっている。上記の着座部は第２構成部分２０に形成されている。第２合せ釘５１は、第２構成部分２０の内部に向かって突出する当該合せ釘５１の端部が第１構成部分１０の外面の滑動式着座部５２に係合するように、第２構成部分２０のねじ付きの係合式着座部にねじ結合されている。コイルばね２３が、図５ｂに示すように、第１構成部分１０と第２構成部分２０との間に配置されており、それにより特に第２構成部分２０が第１要素１００に向かって、すなわち図５ａ及び図５ｂの右から左に推進されるようになっている。球体２４及び円錐台形の表面２１の機能は、前述した実施形態の対応する部分の機能と同様であるので、簡潔のために上記の機能について詳細な説明は省略し、第１構成部分１０及び第２構成部分２０の相互ロックが、ボールと対応する円錐台形の表面との間の対抗作用によって引き起こされ、それにより第１構成部分が第２構成部分２０から後退して第２構成部分２０の外部に向かって、特に図５ａ及び図５ｂの右から左に向かって滑動するのが防止される、と述べるに留める。本実施形態の場合、第２構成部分２０が第１構成部分１０に対して反対方向（解放方向）に滑動すること、すなわち、第２構成部分２０が要素１００から離れる方向に滑動することが、合せ釘５０によって防止される。上述した通り、合せ釘５０は、第１構成部分１０に設けられた着座部の中に係合している。第１構成部分１０及び第２構成部分２０の相互解放を達成することによって第２構成部分２０を第１要素１００から離れる方向に移動させるためには、合せ釘が係合式着座部５５の外側に移動するように合せ釘５０に作用を加える必要がある（つまり、合せ釘は、偶発的な解放に対する追加の安全機能を発揮する）。この時点で、構成部分２０は、第１構成部分１０の端部１２の外面に設けられた係合式着座部５２に第２合せ釘５１が係合することによって確立される最終位置に到達するまで、要素１００から離れる方向に移動できる（図５ａ及び図５ｂ中の左から右に滑動できる）。第２構成部分２０が最終位置に在る場合には、２つの円錐台形の表面の間の空間が図５ｂに示すように増大しているので、ボール２４と端部１２の外面との間の摩擦及び対抗作用は除去されており、上記の端部１２は構成部分２０から図５ａ及び図５ｂ中の右から左に向かって後退できるので、２つの構成部分１０，２０の相互解放が達成される。さらに、係合着座部５５と端部で係合する合せ釘５０が、第１構成部分１０の外面に圧縮力を加える追加の機能を発揮するので、第１構成部分１０と第２構成部分２０との間の煩わしい緩み及び／又は相互移動が防止される。
【００４４】
図５ｃ及び図５ｄは、直前に説明した実施形態の実現可能な使用例の１つ、特に、本発明の上記の実施形態によるシステム、例えば棚２００を支持壁１００に固定するシステムの使用例を概略的に示している。事実、特に図５ｄから分かるように、システムの２つの第１構成部分１０は、壁１００から突出するように壁１００に固定可能であり、２つの構成部分２０は、壁１００に対向する棚の縁部（但し、棚の下方でもよい）の対応する位置に固定可能である。上記の対応する位置では、第１構成部分１０及び第２構成部分２０が図５ａに示す相互位置に到達するまで、棚２００を壁１００に向かって移動させることによって、２つの第１構成部分１０の各々が対応する第２構成部分２０に挿入される。図５ａに示す相互位置では、第２構成部分２０が合せ釘５０に作用することによって固定されている。
【００４５】
直前に説明した本発明に係るシステムの実施形態の第２の使用例が図５ｅに示されている。この使用例において、ドア又は窓をフレームに回転式に拘束するヒンジは、２つの要素１００，２００から構成されており、システムの第１構成部分１０は、第１要素１００から突出するように第１要素１００に固定されており、システムの第２構成部分２０は、フレームに固定された第２要素２００に回転式に固定されている。システムの２つの構成部分は、適切な開口部５００の高さでドア／窓パネル４００の両面に位置決めされ、第１構成部品１０は、上記の開口部５００を貫通させられる。その後、第１構成部品１０が第２構成部分２０に挿入されると、２つの構成部品が相互に固定されて拘束される。第１構成部分１０及び第２構成部分２０が相互に固定され、かつ上述した通りドア／窓のパネル４００に固定されると、要素２００がフレームに固定可能になる（例えば、スクリュー又は同様の締結手段によって固定可能になる）。従って、第２構成部分２０は要素２００に（例えばヒンジを介して）回転式に固定されるので、ドア／窓のパネル４００はフレームに回転式に拘束される。
【００４６】
図６ａ〜図６ｄに示す実施形態において、本発明に係るシステムは、滑りボルトと、ハンドグリップ又はノブＰと、ドア又は窓に固定されるように、例えば、ドア又は窓に設置された適切な着座部に収容されるように構成された部分Ｍと、を備えるハンドルの形態で実現されている。特に、滑りボルトは、システムの第１構成部分１０と一緒に作製されており、上記の第１構成部分１０の第１端部は側柱Ｓｔの溝に係合するのに適しており、第１構成部分１０の反対側の端部は、第２構成部分２０の内部に滑動可能に（図の左から右に向かう方向及びその逆の方向に滑動可能に）収容されている。特に、コイルばねＥの作用によって、第２構成部分２０がボルト、すなわち第１構成部分１０を伸張位置に維持しており、上記のボルト、すなわち第１構成部分１０の外面と第２構成部分２０によって形成された傾斜面又はテーパー面２１が形成する着座部２６に収容された回転直動要素２４から上記の第１構成部分、すなわちボルト１０の外面に加えられる対抗作用によって、第２構成部分２０内部に向かうボルト、すなわち第１構成部分１０の滑動が防止される（他の実施形態の場合と同様である）。既に説明した通り、コイルばね２３は、第２構成部分２０の内部、すなわちボルト１０の外面と傾斜面又はテーパー面２１との間の距離が減少する空間２６の部分に向かうボルト１０の滑動方向に回転要素（小型シリンダ、爪、ボール等）を押すようになっている。ボルトが第２構成部分２０に対してロックされた図６ｂ中のロック位置においては、ボルト１０が第２構成部分の内部に向かって直動すると、ボルト１０が第２構成部分２０の内部、すなわち表面２１とボルト１０の外面との間の距離が減少する空間２６の部分に向かって移動することによって、回転要素２４の回転及び／又は直動が引き起こされ、その結果、ボルト１０の内部に向かう直動を防止する対抗力が発生するので、既述した実施形態に関して説明したのと殆ど等しい方法で、第２構成部分２０の内部に向かうボルト１０の滑動が防止される。ボルト１０が構成部分２０に対してロックされる位置においては、ボルト１０の外側の端部が側柱Ｓｔのハウジング又は係合式着座部の内部に収容されるので、側柱に対するシステム（及び扉）の相互移動は不可能であり、その結果、ドア／窓パネルが閉鎖位置にロックされる。従って、ドア／窓を開けるには、ボルト１０が第２構成部分２０の内部に向かって滑動できるようにボルト１０を解放するしかない。ボルト１０の解放は下記のように要約されうる。図６ｄから分かるように、ノブＰは、第２構成部分２０の内部に滑動可能に収納された部分Ｐｉに接続されている。上記の部分は、特に対抗力を発生させる２つの表面Ｓｃ２，Ｓｃ１（図６ｄの平面に直交する）を備えた溝Ｓｃ（上から見るとＶ字形である）を備えている。ノブＰが予め定めた方向（ドアから離れる方向又はドアに近づく方向のそれぞれ）に移動されると、溝の表面が要素２４と衝突して、要素２４を傾斜面２１とボルト１０の外面との間の距離がより大きくなる空間２６の部分に向かって推進する（移動させる）。このように、ボルト１０が構成部分２０の内部に向かって直動する間は、回転要素２４が、表面２１とボルト１０の外面との間の距離が減少する空間２６の「狭小」部に向かってさらに推進又は移動されることはなく、回転要素２４が表面２１とボルト１０の外面との間に係合することはないので、構成部分２０の内部に向かうボルト１０の直動に対抗する作用が発生することはない。このような対抗作用は、溝Ｓｃが図６ｂに示す位置に在るときに発生する。従って、ノブＰをドア／窓から離れる方向に移動させると（又はこれを近づく方向に移動させると）と、ボルト１０が第２構成部分２０から解放されることによって、ボルト１０の端部が、ドア／窓が回転する間に（又は、例えば引出しが直動する間に）側柱に設置された溝の内壁に衝突し、その結果、ボルト１０の端部が構成部分２０の内部に向かって押されるので、ドア／窓パネルを側柱Ｓｔから解放することが可能になり、ドア／窓を開けることが可能になる。従って、上記の説明から推論されるように、本発明に係るシステムの本実施形態においても、本発明に係るシステムによって相互に拘束された２つの要素（本事例においては側柱及びドア／窓のパネル）は、システム自体の第１構成部分１０及び第２構成部分２０を相互に解放すための操作と同じ操作によって解放されうる。
【００４７】
言い換えると、ドア／窓を開ける方向にノブＰを押す場合と引く場合の両方において、システム（ハンドル）の２つの構成部分の解放が達成され、実質的にそれと同時にドア／窓が開けられる。
【００４８】
本発明の別の実施形態が、図７ａ及び図７ｂに概略的に示されている。本実施形態は、回転式の拘束体（例えばヒンジ）４１を介して第２構成部分２０に容易に拘束されうるロッキングレバー４０を備えている。ロッキングレバー４０の第１端部４８は、電動ソレノイド６０のレベルに位置決めされており、ロッキングレバー４０の端部４８とは反対側の端部４９は、解放要素２７のレベルに位置決めされている。ソレノイドの作用によって、ロッキングレバーが移動され、特に、第１回転方向（図７ａ及び図７ｂにおける左回り）に回転され、その結果、端部４９が解放要素２７と係合して、解放要素を第２構成部分２０の内部に向かって押すので、第１構成部分１０（その端部は第２構成部分２０の内部に収容されている）及び第２構成部分２０が相互に解放される。同様に、ソレノイド６０は、ロッキングレバー４０を反対方向（図７ａ及び図７ｂにおける右回り）に回転させて解放要素２７を構成部分２０の外部に向かって直動させるように作動又は電気駆動されることもでき、それにより構成部分１０及び構成部分２０の相互ロックが最終的に達成される。
【００４９】
簡潔のために本出願では説明しない別の実施形態において、ソレノイド６０によって構成されたアクチュエータ要素は、同様の機能を果たすのに適した任意の他のアクチュエータシステム、例えば、ピストン、圧縮空気ジェット、モーター、又は任意の電動機構若しくは自動化機構を備えた機械的な移動機構に置換されうる。
【００５０】
本発明に係るロック及び／又は締結用のシステムの別の適用例が図８ａ〜図８ｃに示されている。図面では、例によって、他の図面を参照して既に説明したシステムの構成部品及び／又は特徴が、同じ参照番号で識別される。
【００５１】
図面において、参照番号１００，２００は、ホイール（例えば自動車用のホイール）の支持ディスク及びホイールリムを示している。通常、ねじ付きボルトが支持ディスクから突出して、対応するリムの孔の中に収容される。ホイールの締結は、各ボルトに対応するねじ付きナットを係合させることによって達成される。図８ａ〜図８ｂに示す、本発明に係るシステムの実施形態は、ボルト及びナットによるホイール締結の代替案として提案されている。
【００５２】
この目的のために、４つの第１構成部分１０（但し、個数は必要性及び／又は状況に応じて変更されうる）が、第１要素１００（ホイールの支持ディスクに相当する）に固定されており、上記の第１構成部分１０の各々は、特に、第２要素、すなわちリム２００が取り付けられる要素１００の側面で各々の第１構成部分１０の端部１２が上記の第１要素１００から突出するように、第１要素１００の収容着座部に部分的に収容されている。特に、第２要素２００は、以下に説明する通り、第２構成部分２０（従来技術において公知である古典的なナットに取って代わる）が各々の第１構成部分１０に係合することによって、第１要素１００に固定される。簡潔のために、以下の説明は、１つの第１構成部分１０及び対応する第２構成部分２０、並びにそれらの相互ロック及び相互解放に関する説明であるが、図中に示す第１構成部分１０及び第２構成部分２０の各々に適用されうる。
【００５３】
第１構成部分１０の突出する端部１２は、僅かに円錐台形にされた縦断面を有し、その断面の直径は、第１要素１００に向かって減少している。上記の端部は、第２構成部分２０によって形成された空間２６の内部に収容されており、その内部で直動するようになっている。特に、上記の内部空間も円錐台形の縦断面を有しており、上記の空間２６の内径も第１要素１００に向かって、すなわち図８ｂ及び図８ｃ中の右から左に向かって減少している。この場合も、第１構成部分１０の端部１２の円錐台形の外面２２と、第２構成部分２０の空間２６の円錐台形の内面２１との間に、空隙が形成されている。
【００５４】
さらに、内部空間２６は、第１構成部分１０の端部１２の反対側で、中空体２８を部分的に収容しており、中空体２８は、第１構成部分１０の端部１２を部分的に収容している。特に、上記の中空体は、空間２６の内部で第１構成部分１０の端部１２上を滑動するようになっている。中空体２８の外面には（特に、空間２６の内部に収容された中空体２８の部分の外面には）、複数のボール２４を収容する円周溝が設けられており、それらボール２８は、中空体の外部でクラウンの形態を呈するように配列されている。中空体２８の外部にはコイルバネ２３が配列されており、コイルばね２３は、特に、中空体２８の外面と、空間２６を形成する第２構成部分２０の内面２１と、の間に収容されている。特に、ばねの第１端部（第１要素１００に対向する端部）は、中空体２８の外面の環状の突出部に衝突するように配列されており、ばね２３の第１端部とは反対側の第２端部は、第２構成部分２０の環状の突出部に衝突するように配列されている。従って、コイルばね２３の役割は、中空体２８が第１要素１０に向かって（図８Ｃ中の左に向かって）押される状態、及びそれによりボール２４が内面２１と外面２との間の距離が減少する空間２６の部分に向かって押される状態を維持することである。
【００５５】
支持ディスク１００におけるリム２００の組み立て位置、並びに第１構成部分１０及び第２構成部分の相互ロック位置は、図８ｂに示す位置である。この図面から推量されるように、リム２００は、各々の第１構成部分１０がリム２００の対応する貫通孔に受容されて収容されるように、ディスク１００に取り付けられている。さらに、ベルビルワッシャＭｔ（その機能は以下で説明する）が、第１構成部分１０の各々のレベルでリム２００とディスク１００との間に挿入されている。つまり、各々の構成部分１０の端部１２は、ディスクと第２構成部分２０との間に配置された対応するベルビルワッシャＭｔの貫通孔に部分的に収容されている。図８ｂに示す相互位置において、第２構成部分２０及び第１構成部分１０は互いに強固に拘束されているので、リム２００は支持ディスク１００に強固に固定されている。事実、図８ｂに示す位置において、コイルばねは、表面２１，２２間の距離がより小さくなる空間２６の部分にボール２４を保持している。
【００５６】
従って、第２構成部分２０を対応する構成部分１０から取り外そうと試みても（第２構成部分を図８ｂ中の右に引いて第１構成部分１０から離脱させようと試みても）、表面２１，２２間に係合しているボール２４が（先の実施形態の事例と同様の方法で）右に向かう第２構成部分２０直動を防止する結果、第２構成部分はリム２００から離れる方向に移動することも第１構成部分１０から取り外されることもできないので、上記の試みはボール２４及び表面２１，２２から相互に加えられる対抗作用によって無効化される。第１構成部分１０からの第２構成部分２０の解放は、以下のように中空体２８に加えられる作用によって達成される。中空体２８を、図面に示す通りコイルばね２３が圧縮されるように第２構成部分２０（空間２６）の外部に向かって図８ｃに矢印で示す左右方向に引くと、表面２１，２２間の距離がより大きくなる空間２６の部分にボール２４が変位するので、上記の表面２１，２２とボール２４との間の相互摩擦が減少または除去される。これにより、構成部分１０における構成部分２０の図中の左から右に向かう方向の滑動に対抗する対抗力も除去される。従って、構成部分２０は、特に図８ｃに示すように構成要素１０から離脱することができる。上述した通り、各々の構成部分２０を対応する構成部分１０から離脱させることによって、リム２００を支持ディスク１００から最終的に解放すること、及びリム２００を支持ディスク１００から取り外すことが可能になる。つまり、ベルビルワッシャＭｔの役割は、第２構成部分２０と第１構成部分１０との間の相互拘束の強化を促進することである。事実、各ベルビルワッシャＭｔは、対応する第２構成部分２０に作用して、第２構成部分を対応する第１構成部分１０から離れる方向に押すようになっているが、上述した通り、当該方向の推進作用は、（上述した通り中空体２８を引いて中空体２８に作用を加えない限りは）ボール２４を表面２１，２２間により一層強固に係合させて固定する効果のみを発揮するので、第２構成部分２０がさらに直動することが防止され、かつ仮説的に存在しうる僅かな緩みが除去される。
【００５７】
本発明に係るシステムの別の実施形態及び適用例について、図９ａ〜図９ｃを参照して以下に説明する。
【００５８】
図９ａ〜図９ｃは、パイプの第１部分１００及び第２部分２００（以下では、それぞれ第１要素及び第２要素とも称される）を示している。上記の第１要素及び第２要素は、図９ａ〜図９ｃに示す本発明に係るシステムの実施形態によって、連続するパイプを構成するように、すなわち、上記の第１要素１００及び第２要素２００の内部の流れ断面を一致させるように、相互に接続されている。この目的のために、第１構成要素１０が第１要素１００の自由端に固定され、第２構成部分２０が第２要素２００の自由端に固定されるので、第１構成部分１０及び第２構成部分２０が相互に拘束されることによって、第１要素１００及び第２要素２００の相互締結が達成される。この目的のために、第１構成部分１０及び第２構成部分２０の両方が、第１要素１００及び第２要素２００の端部にそれぞれ挿入されて当該端部に例えばクランプ又は類似の締結手段によって固定されるのに適した管状の端部を有している。
【００５９】
特に、第１構成部分１０は、第１ダクト１２ｔを備え、かつ実質的に球形の１つの端部１２（構成部分１００に固定される端部とは反対側の端部）を有する。同様に、第２構成部分２０は、第２ダクト２０ｔを備え、かつ実質的に円筒形であり上記の第１構成部分１０の上記の球形端部１２を収容するのに適した１つの端部（要素２００に固定される端部とは反対側の端部）を有する。より詳細には、第２構成部分２０の円筒端部の内部には、上記の第１構成部分１０の上記の実質的に球形の端部１２を収容するのに適した実質的に球形の内部空間２６を形成するシール要素（流体の漏出を防止するのに適している）が設けられている。さらに、上記の第２構成部分２０は、要素２００の反対側の構成部分２０の円筒端部に嵌合する中空体２８を備えており、中空体２８は、構成部分２０の上記の円筒端部上を長手方向に（図中の上下方向に）滑動するようになっている。特に、中空体２８は、構成部分２０の円筒端部の外面上を滑動する外壁と、構成部分１０の円筒端部の内壁上を滑動する内壁と、中空体２８の上記の内壁及び外壁を接続する横断壁と、を備えている。すなわち、構成部分２０の円筒壁の端部は、上記の中空体において外壁、内壁、及び横断壁によって形成されたＵ字形の着座部に収容されている。中空体２８と構成部分２０の円筒端部との間には、中空体２８が第２構成部分２０に対して直動する方向と平行な方向（図中の底部に向かう方向）の推進力を上記の中空体２８の上記の横断壁に加えるのに適した（所望の個数の）コイルばね２３が設けられている。さらに、構成部分２０の内部には、特に、構成部品２０の内面（テーパー状又は円錐台形の部分２１を備えており、図９ｂの下部に例示されている）と構成部分１０の端部１２の外面との間、かつ中空体２８の内壁の上方には、上記の第１構成部分１０の上記の球形部分１２の周囲に実質的に円形に配列された所望の個数のボール２４が設けられている。第１構成部分１０及び第２構成部分２０の相互ロック位置は、図９ｂに示す位置である。この位置において、第１構成部分の球形の端部１２は、着座部２６の内部に収容されている。さらに、ばね２３の作用によって、中空体が構成部分２０（その中空本体）に対して最大伸張位置（図９ｂ中で下向きに押された位置）に維持されており、その位置において、ボール２４は、第１構成部分１０の球形の端部１２の最大直径を有する部分を通り越して配置されている。この位置においては、球形の端部１２を中空の着座部２６から引き抜こうと試みても、ボールが外部に向かって推進されるにすぎない。ところが、このようにボールがテーパー状の表面２１に沿って中空の着座部２６の外部に向かって移動されると、ボールが球形の端部１２と上記のテーパー状の表面２１との間に固定されることになるので、端部１２が中空の着座部２６の外部に向かってさらに直動することが防止される。第１構成部分１０及び第２構成部分２０の相互解放を達成するには、図９ｃに示すように中空体２８に干渉することによって、ばね２３の作用に対抗して中空体２８を第２構成部分２０の本体に向かって推進するだけで十分である。このように、ボール２４は、中空体２８の内壁によって推進されるとともに、同じ内壁によって、テーパー状の表面２１と端部２０の外面との間の距離がより大きくなる構成部分２０の内部空間の部分に向かって、端部１２の外面とテーパー状の表面２１との間で移動される。つまり、ボールは、球形の端部１２の最大直径の部分を越えて移動しうる。この時点では、第１構成部分１０の球形の端部１２が引き抜き方向に引かれても、球形の端部１２が、ボール２４、テーパー状の表面２１、及び球形の端部の外面の間の抵抗状態によって生じる対抗力を受けることはないので、球形の端部１２は中空の着座部２６の外側に自由に移動できる。
【００６０】
例示された関節式の球形部によって、安全な締結が保証されるとともに、複数の方向の関節式の移動及び回転が許容される点が強調されるべきである。
【００６１】
前述した本発明の実施形態において、部分２１（平坦又は円錐台形等の、回転直動要素２４と当接する上面）の傾斜角度は、必要性及び／又は状況に応じて選択可能である。本発明の対象であるシステムを用いて実施されたテストによって、種々の角度に対応する以下の結果が与えられた。角度が１°〜８°（図９ｄを参照）である場合には、円錐形クランプ型の安全なロックが達成される一方で、当該事例では解放操作がより困難になる。従って、上記の角度は、ホイールのハブに本発明のシステムを使用する場合に特に便利である。角度が８°〜１６°（好ましくは１２°）である場合には（図９ｅを参照）、最適な（安全な）ロック結果が達成されるものの、解放が容易であり、解放要素に小さい力（無視できるほどではないとしても）を加えれば十分である。上記の角度は、特にハンドル、例えば標準的なドアのハンドルに適している。１６°〜４５°の角度が選択される場合には（図９ｆを参照）、２つの構成部分１０，２０の間の保持力（閾値）を設定することが可能であり、予め定めた上記の力の閾値（選択角度の関数）が一旦超過されたら、たとえ解放レバーに一切の作用が加えられない場合であってもシステムが開くことになる。このような角度によると、部品の滑動又は摩擦運動が達成されるので、システムが、予め定めた荷重のコネクタ又はブロックとして動作するようになる。従って、上記の角度は、ドア又はドア／窓のパネル、特に、開けるためには予め定めた推進力が必要であるドア又はドア／窓のパネルに本発明に係るシステムを適用するのに特に適している。角度の選択（及び回転直動要素を押された状態に維持する力の選択）は、２つの構成部分１０，２０の間で達成されるべき拘束の形式によって左右される。
【００６２】
図９ｄ〜図９ｆを参照して上述した角度の値が、本出願に記載される本発明の全ての実施形態、及び当業者にとって自明である本発明の全ての変形例に適用可能であることは明らかである。
【００６３】
本発明の別の実施形態及び／又は本発明の構成部品について、図１０ａ及び図１０ｂ〜図１８を参照して以下に説明する。図面においては、例によって、他の図面を参照して既に説明した本発明に係るシステムの構成部品及び／又は特徴が、同じ参照番号によって識別される。
【００６４】
図１０ａ及び図１０ｂに示す実施形態の特別な特徴として、部分２１の形状が挙げられる。図面から推量されるように、本事例において、部分２１は、凸状の上面（回転直動要素２４と当接する表面）を備えること、すなわち、上記の上面の下降部分によって形成されることを特徴としている。特に、凸状の上面は、隣接する２つの平坦な表面Ｐ１，Ｐ２によって形成されており、それら表面Ｐ１，Ｐ２は、共通の頂点で合流しており、水平な基準面に対して予め定めた角度で（同じ角度又は２つの異なる角度で）傾斜している。さらに、下降部分の深さは、部分２１の長さに沿って変化しており、特に、（システムの完成品において）第１構成部分１０に対向する部分２１の端部へ向かって減少している。従って、構成部分１０の端部１２が、他の実施形態に関連して説明したように第２構成部分２０の外部に向かって直動すると、回転直動要素２４も（第１構成部分１０の端部１２、要素２４、及び部分２１の凸状の上面の間の摩擦によって）第２構成要素２０の外部に向かって（図１０ｂの下から上に向かって）移動することになる。その結果、回転直動要素２４が経路の途中で停止するまで凸状面に沿って「上昇」することによって、第１構成部分１０の端部１２のさらなる直動が防止されるので、第１構成部分１０が第２構成部分から引き抜かれることはない。
【００６５】
上記の解決法の別の変形実施形態が図１１ａ及び１１ｂに示されている。本実施形態は、図１０ａ及び図１０ｂを参照して上述した解決法とは、部分２１の長さに沿って変化するのが部分２１の上面の下降部分の深さではなく、隣接して対向する傾斜面Ｐ１，Ｐ２間の相互距離（図１１ａ及び図１１ｂにおける水平方向の距離）であるという点で相違しており、特に、上記の表面Ｐ１，Ｐ２間の距離が第２構成部分２０の外端部に向かって、すなわち第２構成部分２０からの第１構成部分１０の引き抜き方向において減少している点で相違している。対抗要素２４は、第１構成部分１０の端部１２によって第２構成部分２０の外部に向かって（図１１ｂの下から上に向かって）引かれるときに（構成部分１０の端部１２に対抗して）徐々に上向きに押されるので、３つの構成部品の相互ロック（第１の構成部品１０及び第２構成部品２０の相互ロック）が引き起こされて、第２構成部分２０の外部に向かう第１構成部分１０のさらなる直動が防止されるまで、構成部品１０の端部１２、要素２４、及び部分２１の間の抵抗作用が増大することになる。
【００６６】
図１０ａ、図１０ｂ及び図１１ａ、図１１ｂをそれぞれ参照して直前に説明した２つの解決法に係る部分２１が、既に説明した実施形態、及び以下に説明する別の実施形態の傾斜部分２１の代替物として使用可能であることは明らかである。また、直前に説明した解決法が、先の実施形態及び以下に説明する実施形態の傾斜部分２１と組み合わせて使用可能であることも明らかである。この場合、部分２１は、傾斜しており、可変的な深さ及び／又は幅を有する凸状の下降部分を含んだ上面を備えている。
【００６７】
（開放状態、ロック状態、及び解放状態のシステムをそれぞれ示す）図１２ａ〜図１２ｃに示される本発明の別の実施形態の特別な特徴は、解放要素２７の形状及び動作によって表される。本事例において、解放要素２７は、Ｌ字形であり、（要素２７が移動する間に着座部２６の内部に少なくとも部分的に収容されるように）着座部２６のレベルに位置決めされた第１端部と、上記の第１端部から延びる第２部分と、を有している。
【００６８】
弾性対抗要素（例えばコイルばね）７１は、解放要素を休止位置（図１２ａを参照）に維持するように上記の要素２７の上記の第２部分に作用するようになっている。休止位置において、解放要素は第２構成部分２０から所定の距離だけ離間して維持されるので、解放要素２７の第１端部は回転直動要素２４から離れている（接触していない）。従って、弾性要素７１は図中の右から左に向かって推進作用を加えることになる。要素７１から加えられる推進作用に対抗して（図中の左から右に向かって）要素２７に推進作用を加えることによって、システムの解放が達成される。このように、解放要素２７の第１端部が回転直動要素２４に衝突することによって、回転直動要素２４が、ばね２３の作用に対抗して、構成部分２０内部に向かって、すなわち、直動要素がより大きい「緩み」を有することで構成部分１０の端部１２と部分２１との間で実質的に「ルーズ」な状態になる内部空間２６の部分に向かって推進される。部分２１は、傾斜し又は凸状部分及び／又はテーパー状の下降部分を有する上面を備えるか、又は傾斜しかつ凸状部分及び／又はテーパー状の下降部分を有する上面を備える。このように、第１構成部分１０の端部１２は、他の実施形態と同様に第２構成部分２０から引き抜かれることができる（図中の右から左に向かって直動することができる）。また、弾性要素７１が、（必要性及び／又は状況に応じて変化する断面を有する）要素又はピン７０に嵌合され、かつ当該要素又はピン７０によって所定の位置に維持されることが付言されるべきである。当該要素又はピン７０は、構成部分２０に形成された対応する収容着座部の内部で直動可能である。
【００６９】
図１３ａ〜図１３ｃに示す別の実施形態は、図１２ａ〜図１２ｃを参照して直前に説明した実施形態に非常に類似しているが、本実施形態は、弾性要素又はばね２３が磁石７２に置換される点で、直前の実施形態とは（並びに前述及び後述の実施形態とは）相違している。
【００７０】
上記の磁石７２は、特に、同じ極性（図中に示すような正極性、又は状況次第では負極性）を有する２つの部分を備えており、第１部分は直動要素２４に堅固に固定されており、第２部分は第２構成部分２０に堅固に固定されている。２つの部分の間に発生する磁力は、要素２４に堅固に固定された磁石７２の部分を構成部分２０の外部に向かって（図中の右から左に向かって）押すことによって、当該要素２４を構成部分２０の外部に向かって同じ方向に押す傾向を示すことになる。従って、解放要素２７に推進作用が加えられ、解放要素２７の第１端部が回転直動要素に衝突するまで移動するときには、当該推進作用が上記の実施形態における弾性要素の作用ではなく磁力の作用に対抗して加えられることになる。
【００７１】
先の事例と同様に、本発明に係るシステムの複数の状態、すなわち、２つの構成部分１０，２０が相互から解放された状態、相互に拘束された状態、及び相互から解放するのに適した状態を示す、図１４ａ及び図１４ｂで説明される別の実施形態において、解放要素２７は、第１端部２７ｍ（回転直動要素２４に寄り掛かる端部）がいわゆる「形状記憶」式の材料（例えば合金）、すなわち、上記の端部２７ｍに電圧が印加されるか否かに応じて上記の第１端部２７ｍの体積が変化する材料で作製されることを特徴としている。図中に観察されるように、要素２７の第１端部２７ｍに電力を供給する手段となる２本の電線が概略的に示されている。電力供給によって、要素２７の第１端部２７ｍに電圧が印加されると、第１端部２７ｍの体積が増加して回転直動要素２４に当接することによって、回転要素を構成部分２０の内部に向かって推進するので、構成部分１０を構成部分２０から引き抜くことが可能になる。他方、電力供給が除去されると、解放要素２７の第１端部２７ｍが初期状態又は休止状態の体積に戻るので、もはや第１端部２７ｍが回転直動要素に推進作用を加えることはなく、また、回転要素が構成部分１０によって（その端部１２によって）構成部分２０の外部に向かって駆動されると、回転要素が端部１２と部分２１との間にロックされることによって２つの構成部分１０，２０の相互解放が防止される。
【００７２】
図１５ａ〜図１５ｃに示す本発明に係る別の実施形態は、直前に説明した実施形態と同様であり、２つの実施形態の相違点は、解放要素２７（第１端部から延びる第２部分）が拘束要素２７ｍｉを介して構成部分２０に拘束される点、及び形状記憶材料で作製されるのが上記の拘束要素２７ｍｉであるという点である。従って、（電線２７ｃを介して）拘束要素２７ｍｉに対する電圧の供給、及び除去を交互に行うことによって、拘束要素の体積の増加、及び「休止状態」の体積への復帰が交互に引き起こされるので、解放要素２７の構成部分２０からの取り外し、及び構成部品２０への接近が交互に行われるとともに、回転直動要素２４の構成部品２０の内部への（図中の左から右への）推進、及び解放要素２７の第１端部からの解放が交互に行われる。
【００７３】
図１６に示す実施形態における特別な特徴は、構成部分１０の厚み（又は少なくとも構成部分２０に挿入されるように構成された端部１２の厚み）が構成部分１０の長さに沿って変化するような縦断面、特に、構成部分１０の厚みが上記の端部１２に向かって増加するような縦断面を特徴とする構成部分１０の形状によって表される。この解決法は、特に部分２１の形状及び／又は傾斜ないし非傾斜の向きにとは無関係に、他の実施形態の各々に採用されるのに適しており、この解決法によれば、端部１２と回転直動要素２４との間の摩擦、特に、構成部分１０が構成部分２０の外部に向かって直動する間（解放要素が非作動状態にされることによって例えば図１５ａに示す状態にされているのは明らかである）の構成部分１０の端部１２、要素２４、及び部分２１の間の相互抵抗を増大させることが可能であるので、２つの構成部分１０，２０の間の相互拘束をより安全かつ確実にすることが可能である。さらに、構成部分１０（又は少なくともその端部１２）の断面は、必要性及び／又は状況に応じて変更可能であり、例えば、長方形又は六角形等の形状を有しうる。
【００７４】
図１７ａ、図１７ｂ、図１７ｃ、及び図１７ｄにそれぞれ示される別の実施形態における着座部２５は種々の形状を取りうる。例えば、図１７ａの実施形態における着座部２５は貫通式の着座部である。つまり、構成部分１０に対向する構成部分２０の側面は、反対側の側面と連通している。本事例において、着座部２５の内径は、不変であってもよいし（図１７ａの場合）、可変的であってもよい（図１７ｄの場合）。直座部２５の内径が可変的であることは、着座部２５の内径が構成部品１０に対向する側面とは反対側の構成部品２０の側面に向かって増加することを意味する。さらに、着座部２５は一端が閉塞されていてもよく（図１７ｂ及び図１７ｃの場合）、その場合も、着座部２５の内径は可変的であってもよいし不変であってもよい。
【００７５】
最後に、図１８は、本発明に係るシステムの特別な実施形態を示す。本実施形態における回転直動要素２４（図中の部分２１と構成部分１０との間に示す）及び部分２１は両方とも特別な形状を有している。図１８に示す要素２４は、実質的に円筒形（実質的に円筒形の主外面によって形成される）であるが、各々が凸面によって形成された２つの円周溝２４ｇ（円周の全体に沿って延びている）を備えている。次に、部分２１は、要素２４と当接する部分２１の上面から延びる２つの対応する突出部（ピラミッド形又は角錐台形の断面を有する）を備える。それら突出部は、部分２１の長さの方向に（図の平面に直角に）延びており、それら突出部の各々は、対応する溝２４ｇに係合している。さらに、突出部２１ｓの高さは、それらの長さに沿って（すなわち図１８の平面に直交する方向に沿って）変更可能であり、また、部分２１は傾斜していても傾斜していなくてもよい。従って、突出部２１ｓの役割は、図１０ａ、図１０ｂ、及び図１１ａ、図１１ｂを参照して上述した実施形態による部分２１の下降部分と同様に、要素２４と部分２１との間の抵抗作用を増大させることである。本実施形態によれば、要素２４と部分２１との間の接触面積を増加させることが可能になるので、システムの構成部分１０及び構成部分２０の間の相互拘束をより安全かつ確実にすることが可能になる（解放要素が非作動状態のとき）。
【００７６】
本発明が上述され図示された実施形態に限定されない点に留意することが重要である。逆に、本出願で説明され図示された実施形態の、当業者にとって自明である全ての変形及び変更は、本発明の技術的範囲に属している。本発明の目的及び範囲は、添付の特許請求の範囲において決定される。
【図１ａ】
2015516548.tif 000003
【図１ｂ】
2015516548.tif 000004
【図１ｃ】
2015516548.tif 000005
【図１ｄ】
2015516548.tif 000006
【図１Ｅ】
2015516548.tif 000007
【図１ｆ】
2015516548.tif 000008
【図１ｈ】
2015516548.tif 000009
【図２ａ】
2015516548.tif 000010
【図２ｂ】
2015516548.tif 000011
【図２ｃ】
2015516548.tif 000012
【図３ａ】
2015516548.tif 000013
【図３ｂ】
2015516548.tif 000014
【図３ｃ】
2015516548.tif 000015
【図３ｄ】
2015516548.tif 000016
【図４ａ】
2015516548.tif 000017
【図４ｂ】
2015516548.tif 000018
【図４ｃ】
2015516548.tif 000019
【図５ａ】
2015516548.tif 000020
【図５ｂ】
2015516548.tif 000021
【図５ｃ】
2015516548.tif 000022
【図５ｄ】
2015516548.tif 000023
【図５ｅ】
2015516548.tif 000024
【図６ａ】
2015516548.tif 000025
【図６ｂ】
2015516548.tif 000026
【図６ｃ】
2015516548.tif 000027
【図６ｄ】
2015516548.tif 000028
【図７ａ】
2015516548.tif 000029
【図７ｂ】
2015516548.tif 000030
【図８ａ】
2015516548.tif 000031
【図８ｂ】
2015516548.tif 000032
【図８ｃ】
2015516548.tif 000033
【図９ａ】
2015516548.tif 000034
【図９ｂ】
2015516548.tif 000035
【図９ｃ】
2015516548.tif 000036
【図９ｄ】
2015516548.tif 000037
【図９ｅ】
2015516548.tif 000038
【図９ｆ】
2015516548.tif 000039
【図１０ａ】
2015516548.tif 000040
【図１０ｂ】
2015516548.tif 000041
【図１１ａ】
2015516548.tif 000042
【図１１ｂ】
2015516548.tif 000043
【図１２ａ】
2015516548.tif 000044
【図１２ｂ】
2015516548.tif 000045
【図１２ｃ】
2015516548.tif 000046
【図１３ａ】
2015516548.tif 000047
【図１３ｂ】
2015516548.tif 000048
【図１３ｃ】
2015516548.tif 000049
【図１４ａ】
2015516548.tif 000050
【図１４ｂ】
2015516548.tif 000051
【図１４ｃ】
2015516548.tif 000052
【図１５ａ】
2015516548.tif 000053
【図１５ｂ】
2015516548.tif 000054
【図１５ｃ】
2015516548.tif 000055
【図１６】
2015516548.tif 000056
【図１７ａ】
2015516548.tif 000057
【図１７ｂ】
2015516548.tif 000058
【図１７ｃ】
2015516548.tif 000059
【図１７ｄ】
2015516548.tif 000060
【図１８】
2015516548.tif 000061
【手続補正書】
【提出日】平成26年5月15日(2014.5.15)
【手続補正１】
【補正対象書類名】明細書
【補正対象項目名】全文
【補正方法】変更
【補正の内容】
【発明の詳細な説明】
【技術分野】
【０００１】
本発明は、２つの要素の相互締結及び相互分離を交互に実現するのに適した、迅速な接続及び／又は締結のためのシステムの技術分野に関する。
【０００２】
特に、本発明は、例えば、棚システムの直立式又は支持用の構造体及び棚、並びにフレーム（例えば家具の）及び同じ家具の扉板のような２つの要素の締結及び分離を交互に実現するのに適した、迅速な接続及び／又は締結のためのシステムの技術分野に関する。
【０００３】
従って、本発明は、特に（一般的な家庭用、乗用車用、キャンピングカー用、及び車両用の）ドア及び／又は窓のハンドル、及び／又は家庭用の家具、例えば、棚システム、整理ダンス、及び衣装戸棚等のドアのハンドルとしての用途、及び／又は公知の締結システム又は締結手段、例えば自動車のホイールを固定するボルト及びスクリュー又はナット等を置換する目的に適した、迅速な接続及び／又は締結のためのシステムに関する。
【背景技術】
【０００４】
従来技術において、２つの構成部分を相互に固定するのに用いられる接続及び／又は結合のためのシステムが公知である。接続システムの例が特許文献１及び特許文献２から公知である。例えば、棚システム及び／又は同様の構造体の組み立ての場合、棚が棚システムの支持構造体に締結されること、及び棚が支持構造体から取り外されることを可能にするシステムが公知である。最も一般的なシステムは、小型の金属部品、例えばスクリュー及びアンカー、並びに上記のスクリュー及び／又はアンカーを介して支持構造体及び種々の棚に締結されるのに適した所定の形状及びサイズの要素を備えている。棚システムの組み立ては、例えば、予め棚に固定された結合及び／又は締結のための要素に実際の組み立て中に結合（係合）される結合又は締結のための要素が、事前に棚システムに配列されていることを要求する。
【０００５】
一方では、近年の解決法によって提供される利点が認識されうるものの、それら解決法に欠点がないわけではない点に留意すべきである。
【０００６】
特に、典型的な欠点の１つとして、実際の固定要素が、スクリュー又は同様の手段によって、相互に締結されるべき要素に（例えば、棚システムの支持構造体及び種々の棚に）事前に固定される必要がある点が挙げられる。従って、全体的な組み立て時間を特定の時間よりも短縮することは不可能である。
【０００７】
さらに、近年の棚システムの場合、スクリュー又は同様の手段は、外観が好適ではなく、システムの構成部品を損傷する（引っ掻き傷又は同様の損傷をもたらす）虞があるという理由から、スクリュー又は同様の手段の使用を避ける傾向がある。
【０００８】
接続システムの別の例が特許文献３から公知である。より具体的に、特許文献３には、スクープがばねに対抗して後退することを可能にするにようにスクープに接続されたレバーを有するデバイスが提案されている。スクープにはボールが接続されていない。特許文献３の機構においては、システムがブロックされると、ボールが傾斜路、ベルト、及びカバーの間にブロックされることに留意すべきである。そのため、スクープに接続されたレバーがばねを後退させ、スクープがボールから離脱しても、ボールは傾斜路及びベルトの間にブロックされたままである。さらに、所望の解放動作を達成するためには、システムがベルトに作用を加えてベルトを下方に移動させる必要がある（図４を参照）。
【０００９】
最後に、公知の形式の結合システム、特に実際の結合手段は、偶発的な係合解除又は結合解除に対する必要な保証及び信頼性を提供するものではない。そのため、完成した構造体の使用中に（例えば、棚から本を取る間に）棚が偶発的に支持構造体から分離する虞があるので、使用者にとっての深刻なリスク及びそれによる構造体の安定性の喪失がもたらされる。
【００１０】
さらに、（一般的な家庭用、乗用車用、キャンピングカー用、及び車両用の）ドア及び／又は窓のパネル用のハンドル、及び／又は家庭又はその他の環境で使用される家具、例えば棚システム、整理ダンス、衣装戸棚等のドア用のハンドルとして使用されるのに適した、迅速な接続及び／又は締結のためのシステムに関して、近年では多様な解決法が提案されている点に留意すべきである。しかし、いくつかの事例では機能性及び信頼性に対する要求が優先され、別の事例では美観上の要求又は寸法上の要求を満足することが意図され、別の事例では組み立て及び設置の容易さに重点が置かれるなど、上記の解決法は、別個の要求を満足するために提案されることが非常に多い。
【００１１】
従って、いかなる公知の解決策も今のところは上記の要求の全てを満足していない。例えば、古典的な形式のハンドル（回転ハンドル、ラック機構付きハンドル、又はその類似品）は、その機能性に関しては適切な保証を提供することが多いが（そのため、古典的な形式のハンドルは、家庭用のドア、窓、又はドア／窓のフレームに使用するのに最も適切かつ好適な解決策とされるが）、多くの場合、それらハンドルはかなり大きい寸法を有することを特徴としている。そのため、古典的な形式のハンドルは、例えば、キャンピングカーで特に使用されるか又は何らかの限られた空間で使用されるように意図された家具又はキャビネットのような具体的な用途には適していない。同様に、例えばキャビネットの事例のように、種々の目的で使用されるのにより適した公知の解決策は、多くの場合、サイズを小型化しかつ組み立て及び使用を容易にする単純な構造を特徴としているものの、そのような単純な構造によると信頼性及び機能性が損なわれる場合が多い。
【先行技術文献】
【特許文献】
【００１２】
【特許文献１】米国特許第３８９６６９８号明細書
【特許文献２】スイス特許第６００７３８号明細書
【特許文献３】英国特許出願公開第２２９７７９３号明細書
【発明の概要】
【発明が解決しようとする課題】
【００１３】
従って、本発明の１つの目的は、従来技術において公知の解決策に内在する上記の欠点を克服することである。
【００１４】
特に、本発明の目的及び意図は、以下のように要約されうる。
【００１５】
一般的な公知の形式のドア扉、ドア、窓、及びドア／窓のフレーム用のハンドルの代替品として、例えば、棚システム及び／又は同様の構造体等の構造体の迅速な組み立てに当該技術分野で使用される、公知の接続及び／締結のためのシステムの代替品として、そして、ボルト、ナット等の固定手段の代替品として使用可能な解決法を提供することが、本発明の第１の目的である。
【００１６】
従って、特にハンドルとして使用される場合には、信頼性（ドア又は窓の偶発的な開放のリスクを排除するか又は大幅に減少させる）に関して、機能性（単純かつ即時的な操作でドア又は窓を開けることを可能にする）に関して、構造的な単純性（製造が単純かつ容易である少数の構成部品を含む）に関して、そして、対応するパネル又はドアへの組み付け及び／又は取り付けの容易性に関して、適切な保証を提供する、迅速な接続及び／又は締結のためのシステムであって、全体寸法の小さいシステムを提供することが、本発明の他の目的である。
【００１７】
より詳細には、２つの剛性要素を相互に締結するのに使用される場合に（例えば、棚システム及び／又は同様の構造体を組み立てるのに使用される場合に）、上記のシステムによって相互に固定された部品が偶発的に分離するリスクに対して適切な保証を提供する迅速な接続及び／締結のためのシステムを提供することが、本発明の他の目的である。さらに、上記のシステムは、組み立てが容易であり、単純な作業によって可能な限り迅速に組み立てられるのに適しており、単純かつ即時的な方法によって相互締結及び／又は相互接続が行われる部品に短時間で取り付けられるのに適しており、そして、非美的ではない外観及び小型化されたサイズを有している。
【課題を解決するための手段】
【００１８】
本発明は、例えば、一般的なドア、窓、及びドア／窓のフレームのハンドル、並びに家具、棚システム、整理ダンス等のハンドルの構造の技術分野で具体的かつ便利に適用されうる。このことが、以下に説明する本発明に係るシステムの適用例の殆ど全てが、家具のドア、整理ダンス、並びに一般的なドア及び／又は窓に標準的に使用されるハンドルの具体的な事例に言及している理由である。但し、本発明に係るシステムの実現可能な適用例はハンドルの具体的な事例に限定されない。逆に、本発明は、２つの要素、例えば、より複雑な構造体の２つの要素、特に、対応するハブ又は車軸に取り付けられるホイール（例えば自動車用ホイール）を迅速かつ確実に（偶発的な結合解除を回避して）相互に固定する必要のある任意の事例に、有利に適用されうる。
【００１９】
本発明は、相互接続及び相互分離を交互に達成するのに適し、かつ第１及び第２要素（例えば、ドアのフレーム、及び上記のドアのスイングパネル、又は衣装戸棚若しくはキャビネット、及びスイングドアパネルの構造体、又は引出しの前面パネル）にそれぞれ固定されるのに適した第１及び第２構成部分を備えた、迅速な接続及び／又は締結のためのシステムを提供することによって、公知の解決法（特にハンドルとして使用可能なシステム）における典型的な不都合又は欠点を克服するか又は少なくとも最小限に抑制することが可能になるという、全体的な考察に基づいている。上記の２つの構成部分の相互接続は、上記の第１構成部分の一部分が上記の第２構成部分の内部で直動することによって引き起こされ、それらの分離は、上記の第１構成部分の上記の部分が結合方向とは実質的に逆の方向に直動することによって引き起こされる。このように、例えば引出しの場合には、使用者が特別な操作を行う必要はなく、引出しを閉めてハンドルの２つの構成部分を接続するには、使用者が引出しを閉鎖方向に押すだけでよく、ハンドルの２つの構成部分を分離するには（引出しを開けるには）、使用者がハンドルを開放方向（実質的に閉鎖方向とは反対の方向）に引くだけでよいので、システム（ハンドル）の機能性が著しく単純化される。さらに、これにより、少ない個数の構成部分を特徴とするハンドルを得ることが可能になるとともに、個々の構成部分の構造が単純であることから、限られた時間及び削減されたコストによる容易な組み立てが可能になる。さらに、ハンドルの全体寸法が小型化され、美的の観点からも明らかに有利になる。
【００２０】
本発明の基礎となる他の考察は、分離方向における第１構成部分の上記の部分の直動に対抗する手段をハンドルの第２構成部分に設けることによって、追加の利点がもたらされることである。上記の対抗手段は、上記の第１構成部分の上記の部分の直動によって起動される。このように、ハンドルは２つの構成部分の偶発的なま離に抵抗して自動的に起動される。
【００２１】
第１構成部分の端部の分離方向における直動に抵抗する対抗手段によって加えられる力が、上記の端部が上記の第２構成部分の内部にロックされるまで上記の端部の直動方向に沿って増加するような対抗手段を提供することによって、追加の利点がもたらされる。
【００２２】
さらに、必要な都度、必要な間だけ上記の第１及び第２構成部分を相互分離が実現されるように、上記の対抗手段を非作動状態にするのに適した手段を第２構成部分に設けることによって、追加の利点がもたらされる。
【００２３】
ハンドルの第２構成部分が取り付けられる要素と同じ開放方向、例えば引出しの開放方向に上記の非作動化手段が直動すると対抗手段が非作動状態になるように、上記の非作動化手段が構成されると、最終的に大きな利点がもたらされることがある。このように、対抗手段を非作動状態にするための使用者の介入によって、引出しの開放が実質的に同時に実現される。
【００２４】
本発明の第１実施形態によれば、本発明の主題は、独立請求項１に係るシステム、すなわち、第１及び第２要素の相互接続及び相互分離に適した迅速な接続及び／又は締結のためのシステムであって、それぞれ上記の第１及び第２要素に固定されるのに適し、かつ上記の第１及び第２要素の相互接続及び相互分離が交互に実現されるように相互に接続され分離されるのに適した第１及び第２構成部分を備える。上記の第２構成部分は、上記の第１構成部分の端部が上記の第２構成部分の内部で直動できるように上記の第１構成部分の端部を収容するのに適し、上記の第２構成部分は、さらに、上記の第２構成部分の外部に向かう上記の第１構成部分の上記の端部の直動に対抗する対抗手段を備える。
【００２５】
本発明の主題は、上記の第２構成部分が回転要素を備える、接続及び／又は締結のためのシステムであって、上記の回転要素が、上記の第２構成部分の内部に向かう上記の第１構成部分の端部の直動によって第１回転方向に回転するように設定され、かつ上記の第２構成部分の外部に向かう第１構成部分の直動によって第１回転方向とは反対の第２回転方向に回転するように設定される、接続及び／又は締結のためのシステムである。さらに、上記の対抗手段は、上記の第２回転方向における上記の回転要素の回転に対抗するのに適する。
【００２６】
従属請求項３として請求する本発明の別の実施形態によれば、上記の第２構成部分は、上記の第１構成部分の上記の端部と一緒に内部空間を形成する剛性部を備え、上記の回転要素は、上記の内部空間の中に収容され、そして、上記の剛性部、上記の端部、及び上記の回転要素は、上記の回転要素に加えられる上記の剛性部及び上記の端部の相互作用によって上記の対抗力が発生するように、形成されかつ相互に位置決めされる。
【００２７】
他の従属請求項に記載された本発明に係るシステムの付加的な実施形態によって、追加の利点が保証される。
【００２８】
添付図面に図解する本発明のいくつかの実施形態の説明を通じて、本発明について以下に説明する。但し、本発明が図解する実施形態に限定されることはなく、本発明の適用分野及び技術的範囲は、当業者にとって明白、自明、かつ即座に理解可能であると考えられる、本出願に図示され説明される実施形態の全ての変更変形及び変更を含んでいる。
【図面の簡単な説明】
【００２９】
【図１ａ】本発明に係るシステムの第１実施形態の断面図であり、当該システムの第１構成部分と第２構成部分は結合位置に在る。
【図１ｂ】本発明に係るシステムの第１実施形態の断面図であり、当該システムの第１構成部分と第２構成部分はそれらが互いから解放されようとする位置に在る。
【図１ｃ】本発明に係るシステムの第１実施形態の断面図であり、当該システムの第１構成部分と第２構成部分は解放位置に在る。
【図１ｄ】図１ａ〜図１ｃに示す本発明の実施形態に係るシステムの第１使用例を示す。
【図１ｅ】図１ａ〜図１ｃに示す本発明の実施形態に係るシステムの第１使用例を示す。
【図１ｆ】図１ａ〜図１ｃに示す本発明の実施形態に係るシステムの第２使用例を示す。
【図１ｈ】図１ａ〜図１ｃに示す本発明の実施形態に係るシステムの第２使用例を示す。
【図２ａ】本発明に係るシステムの第２実施形態の断面図であり、当該システムの第１構成部分と第２構成部分は結合位置に在る。
【図２ｂ】本発明に係るシステムの第２実施形態の断面図であり、当該システムの第１構成部分と第２構成部分はそれらが互いから解放されようとする位置に在る。
【図２ｃ】本発明に係るシステムの第２実施形態の断面図であり、当該システムの第１構成部分と第２構成部分は解放位置に在る。
【図３ａ】本発明に係るシステムの実施例の断面図であり、当該システムの第１構成部分と第２構成部分は結合位置に在る。
【図３ｂ】本発明に係るシステムの実施例の断面図であり、当該システムの第１構成部分と第２構成部分はそれらが互いから解放されようとする位置に在る。
【図３ｃ】図３ａ及び図３ｂに示す本発明の実施例に係るシステムの使用例を示す。
【図３ｄ】図３ａ及び図３ｂに示す本発明の実施例に係るシステムの使用例を示す。
【図４ａ】本発明に係るシステムの別の実施形態の断面図であり、当該システムの第１構成部分と第２構成部分はそれらが互いに結合されようとする位置に在る。
【図４ｂ】本発明に係るシステムの別の実施形態の断面図であり、当該システムの第１構成部分と第２構成部分はそれらが互いから解放されようとする位置に在る。
【図４ｃ】本発明に係るシステムの別の実施形態の断面図であり、当該システムの第１構成部分と第２構成部分は解放位置に在る。
【図５ａ】本発明に係るシステムの実施例の断面図であり、当該システムの第１構成部分と第２構成部分は結合位置に在る。
【図５ｂ】本発明に係るシステムの実施例の断面図であり、当該システムの第１構成部分と第２構成部分はそれらが互いから解放されようとする位置に在る。
【図５ｃ】図５ａ及び図５ｂに示す本発明の実施例によるシステムの使用例を示す図である。
【図５ｄ】図５ａ及び図５ｂに示す本発明の実施例によるシステムの使用例を示す図である。
【図５ｅ】図５ａ及び図５ｂに示す本発明の実施例によるシステムの使用例を示す図である。
【図６ａ】本発明に係るシステムの別の実施形態に関する図である。
【図６ｂ】本発明に係るシステムの別の実施形態に関する図である。
【図６ｃ】本発明に係るシステムの別の実施形態に関する図である。
【図６ｄ】本発明に係るシステムの別の実施形態に関する図である。
【図７ａ】本発明に係るシステムの別の実施形態の断面図であり、当該システムの第１構成部分と第２構成部分は結合位置に在る。
【図７ｂ】本発明に係るシステムの別の実施形態の断面図であり、当該システムの第１構成部分と第２構成部分はそれらが互いから解放されようとする位置に在る。
【図８ａ】本発明に係るシステムの別の実施形態の前面図である。
【図８ｂ】本発明に係るシステムの別の実施形態の断面図である。
【図８ｃ】本発明に係るシステムの別の実施形態の断面図である。
【図９ａ】本発明に係るシステムの別の実施形態の側面図である。
【図９ｂ】本発明に係るシステムの別の実施形態の断面図である。
【図９ｃ】本発明に係るシステムの別の実施形態の断面図である。
【図９ｄ】図７ａ及び図７ｂに示す実施形態の変形例の詳細図である。
【図９ｅ】図７ａ及び図７ｂに示す実施形態の変形例の詳細図である。
【図９ｆ】図７ａ及び図７ｂに示す実施形態の変形例の詳細図である。
【図１０ａ】本発明の別の実施形態のいくつかの構成部品の前面図である。
【図１０ｂ】本発明の別の実施形態のいくつかの構成部品の平面図である。
【図１１ａ】本発明の別の実施形態のいくつかの構成部品の前面図である。
【図１１ｂ】本発明の別の実施形態のいくつかの構成部品の平面図である。
【図１２ａ】本発明に係るシステムの別の実施形態の断面図である。
【図１２ｂ】本発明に係るシステムの別の実施形態の断面図である。
【図１２ｃ】本発明に係るシステムの別の実施形態の断面図である。
【図１３ａ】本発明に係るシステムの別の実施形態の断面図である。
【図１３ｂ】本発明に係るシステムの別の実施形態の断面図である。
【図１３ｃ】本発明に係るシステムの別の実施形態の断面図である。
【図１４ａ】本発明に係るシステムの別の実施形態の断面図である。
【図１４ｂ】本発明に係るシステムの別の実施形態の断面図である。
【図１４ｃ】本発明に係るシステムの別の実施形態の断面図である。
【図１５ａ】本発明に係るシステムの別の実施形態の断面図である。
【図１５ｂ】本発明に係るシステムの別の実施形態の断面図である。
【図１５ｃ】本発明に係るシステムの別の実施形態の断面図である。
【図１６】本発明の係るシステムの別の実施形態の断面図である。
【図１７ａ】本発明に係るシステムの別の実施形態の断面図である。
【図１７ｂ】本発明に係るシステムの別の実施形態の断面図である。
【図１７ｃ】本発明に係るシステムの別の実施形態の断面図である。
【図１７ｄ】本発明に係るシステムの別の実施形態の断面図である。
【図１８】本発明に係るシステムの別の実施形態の構成部品の前面図である。
【発明を実施するための形態】
【００３０】
図１ａ〜図１ｃに示す本発明の第１実施形態は、以下に詳細に説明する通り相互作用するのに適した第１構成部分１０及び第２構成部分２０を備えている。第１構成部分１０は、（例えば、金属、プラスチック、又は他の同様に剛性材料の）小型の棒のような形状を有しており、第１要素１００、例えば、一般的な棚システム若しくは整理ダンス、又は側柱若しくはドア／窓のフレームの支持構造体に強固に固定されるのに適している。第２構成部分２０は、ハンドルの形状に作製されており、第２要素２００、例えば、回転ドア若しくは窓、又は引出しの前面パネルに強固に固定されるのに適している。この目的のために、第２構成部分２０は、要素２００の適切な着座部に収容される第１部分と、ハンドルノブの役割を果たす第２部分２８、いわゆる外側部分２８と、を備えている。第１構成部分１０は、第１端部１１と、第１端部１１の反対側の第２端部１２と、を備える。第１構成部分は第１端部１１を介して要素１００に固定される。第２端部１２は、完全に第２構成部分の中に形成される相補的かつ対応した形状を有する中空着座部２５の中に受容されて収容されている。第２構成部分２０の内部には、１つの側面が第１構成部分１０の端部１２に対して傾斜する剛性部２１（例えば金属ストラップ）によって形成された空間２６が設けられている。特に、端部１２は、着座部２５の内部において、傾斜部２１の反対側で空間２６をかすめて移動するのに適している。明確化のために、以下では、図１ａの左から右への端部１２の移動方向を、第２構成部分２０の内部に向かう直動方向と定義し、図１ａ及び図１ｂの右から左に向かう端部１２の直動方向を、第２構成部分２０の外部に向かう直動方向と定義する。剛性部２１の傾斜によって、端部１２が第２構成部分２０の外部に向かう直動方向に沿って進むときには剛性部と端部１２との間の距離が減少し、端部１２が反対方向、すなわち構成部分２０の内部に向かう直動方向に沿って進むときには剛性部と端部１２との間の距離が増加する。空間２６の内部には、さらに、剛性要素２２（例えば小型の円筒形の棒）に固定又は嵌合されたコイルばね２３が設けられる。剛性要素の外径は、実質的にコイルばね２３の内径と一致している。常に空間２６の内部に位置する回転直動要素２４、例えば、小型シリンダ、鉄棒、又はボールは、コイルばね２３の自由端のレベルに位置決めされているので、コイルばね２３は、剛性部２１と端部１２との間の距離が減少する空間２６の端部に向かう推進作用を回転要素２４に加えるようになっている。同様に第２構成部分２０の内部（適合する形状の適切な着座部）に位置する解放要素２７は、第２構成部分２０の内部で端部１２の直動方向と実質的に平行な方向に、すなわち図１ａの左から右に向かって（構成部分２０の内部に向かって）直動するとともに図１ａの右から左に向かって（構成部分２０の外部に向かって）直動するのに適している。解放要素２７は、特に、使用者がノブ２８に加えた作用によって、すなわち使用者がノブ２８に図１ａの左から右に向かって加えた牽引作用によって構成部分２０の内部に向かって直動するのに適している（従って、解放要素２７とノブ２８は、例えば、構成部分２０の内部に収容された図示しない接続手段を介して相互に接続されている）。解放要素２７は、使用者がノブ２８に牽引方向とは反対の方向、すなわち図１ａの右から左に向かって加えた推進作用によって、構成部分２０の外部に向かって直動するようになっている。第２構成部分２０の内部に向かって直動する間に、解放要素２７は、回転要素２４に寄り掛かり、ばね２３の作用に対抗して回転要素を第２構成部分２０の内部に向かって押すので、回転要素は、剛性部２１と第１構成部分１０の端部との間の距離が増加する内部空間２６の部分に向かって押されることになる。
【００３１】
図１ａ〜図１ｃに示す本発明の実施形態による接続システム（ハンドル）の操作は、以下のように要約されうる。第１構成部分１０及び第２構成部分２０の相互接続は、第１構成部分１０の端部１２が第２構成部分２０の内部に向かって直動又は滑動することによって達成される。端部１２が第２構成部分２０の内部に向かって直動する間に、剛性部２１に対向する端部１２の表面が回転要素２４の外面に当接するので、回転要素２４は、先ず右回りに回転させられ、次いで端部１２と回転要素２４との間に発生する摩擦によって直動させられる。上記の回転要素２４は、第１構成部分１０の端部１２に対向する剛性部２１の表面にも当接する。右回りの回転及びその後の直動の間に、回転要素２４は、ばねの作用に対抗して（図１ａの左から右に）、すなわち、剛性部２１と第１構成部分１０の端部１２との間の距離が増加する空間２６の部分に向かって移動する。従って、回転直動要素２４は、端部１２が構成部分２０の内部に向かって移動するのを妨害しないので、端部１２は、図１ａに示す構成部分２０の内部の最終位置に到達できる。このように、端部１２の最終位置は、２つの要素１００，２００が予め定めた位置で相互にロックされるような、第１構成部分１０と第２構成部分２０との間の相互ロック位置と定義される。
【００３２】
従って、図１ａに示すロック位置では構成部分２０の外部に向かう端部１２の偶発的な直動は不可能であるので、第１構成部分１０及び第２構成部分２０の偶発的な解放（及びそれによる引出し若しくはドア、又は窓等の偶発的な開放）は不可能である。事実、構成部分２０の外部に向かう端部１２の直動の間に、回転要素２４は左回りに回転するように設定され、かつ必要に応じて（端部１２と回転要素２４自体との間の摩擦によって）直動するように設定されるので、剛性部２１と端部１２との間の距離が減少する空間２６の部分に向かって移動されることになる。空間２６の当該部分に向かう（すなわち実質的に構成部分２０の外部に向かう）回転要素２４の移動によって、回転要素２４が端部１２と剛性部２１との間に係合するので、或る時点において、要素２１が左回りにさらに回転することも、端部１２が構成部分２０の外部に向かってさらに直動することも不可能になる。言い換えると、回転要素が左回りに回転する間の或る時点、及び端部１２が外部に向かって直動する間の或る時点において、回転要素２４が端部１２と剛性部２１との間に係合して端部１２をロックすることになる。従って、例えば、（ノブ２８に作用を加えずに）ドア又は引出し等（要素２００）に直接作用を加えて構成部品２０を除外することによってドア又は引出しを開けようと欲する使用者は、構成部分２０及び構成部分１０の相互解放を達成することができず、それゆえにドア又は引出しを開けることができない。他方、２つの構成部分１０，２０の相互解放（すなわちドア又は引出しの開放）は、ノブ２８を図１ｂに示すように左から右に、すなわち構成部分２０の内部に向かって解放要素２７を引いて直動させることによって実現される。実際、構成部分２０の内部に向かって直動する間に、解放要素２７は、上述した通り、回転直動要素２４を構成部分２０の内部に向かって、すなわち、剛性部２１と端部１２との間の距離が増加する空間２６の部分に向かって押すことになる。このようにして、回転直動要素２４の外面と剛性部２１に対向する端部１２の表面との間の抵抗作用（摩擦）が（回転直動要素２４が端部１２と接触しなくなる位置に完全に排除される程度まで）減少する。従って、このような状態において、構成部分２０の外部に向かう端部１２の直動は、回転要素２４の左回りの回転も、外部に向かう（端部１２と剛性部２１との間の距離が減少する空間２６の部分に向かう）回転要素の移動又はシフトも生じさせないので、端部１２は図１ｃに示すように完全に構成部分２０の外側に移動するまで自由に直動できる。従って、上記の内容から理解されるように、例えば、図１ａに示すように左から右に向かって整理ダンスから引き出し可能な引出し２００の場合、使用者が引出し２００を開けるには、引出しと同じ方向にノブを引くだけでよく、その結果、ノブ２８に加えられる牽引操作のみによって、先ずシステムの２つの構成部分２０，１０の相互解放が実現され、さらに引出し自体の開放が実現される。逆に、ノブ２８に作用を加えずに引出し２００を開けようとすると、システムの２つの構成部分２０，１０の相互ロックが引き起こされる。
【００３３】
図１ｄ及び図１ｅは、上述した本発明の実施形態によるシステムの第１の使用例又は適用例を概略的に示している。本事例における第１構成部分１０は、整理ダンス又はキャビネット３００の支持構造部１００に強固に固定されており、第２構成部分２０は、システムのノブ２８が前面パネル２００からキャビネット３００の外部に向かって突出するように、引出し２００の前面パネルに取り付けられている。従って、引出しの開閉は、上述した手順に従ってノブ２８を引く作用又は押す作用を加えることによって達成される。
【００３４】
上述した本発明によるシステムの実施形態の第２の適用例又は使用例が図１ｆ及び図１ｈに示されている。本事例における要素１００は垂直壁によって構成されており、要素２００は棚によって構成されている。２つの構成部分１０は垂直壁１００に強固に固定されており、２つの構成部分２０は、垂直壁１００に対向するように構成された棚２０の縁に固定されている。図１ｆ及び図１ｈに示す棚システムの組み立ては、予め構成部分１０を垂直壁１００に固定するとともに、構成部分２０を棚の対応する位置に固定することによって達成される。最後に、棚２００を垂直壁１００に向かって押すと、構成部分１０，２０が相互にロックされることによって棚２００が垂直壁１００に締結される。従って、棚を取り外すためには、上述した通り構成部分１０及び／又は構成部分２０のみに作用を加え、次いで棚２００を垂直壁１００から離れる方向に移動させればよい。
【００３５】
本発明に係るシステムの別の実施形態について、図２ａ〜図２ｃを参照して以下に説明する。図２ａ〜図２ｃにおいて、本発明に係るシステムの既に説明した構成部品又は特性は、同じ参照番号によって識別される。
【００３６】
図２ａ〜図２ｃに示す実施形態は、図１ａ〜図１ｃを参照して上述した実施形態に存在する構成部品の多くを備えている。事実、図２ａには、第１端部１１と、第２構成部分２０の内部で滑動及び直動できるように第２構成部分２０の内部の着座部２５に収容された第２端部と、を有する第１構成部分１０が示されている。上記の第１構成部品１０は第１端部１１を介して第１要素１００に固定される。この場合も構成部分２０の内部に空間２６が設けられており、その内部空間２６は、端部１２が収容されて滑動する着座部２５に接触するようになっている。この場合も、内部空間２６は端部１２の滑動方向に対して傾斜した剛性部２１によって形成されており、剛性部２１と端部１２との間の距離は構成部分２０の外部に向かって減少するようになっている。支持要素２２が上記の空間２６の内部に延在しており、支持要素２２には、それに係合するコイルばね２３が設けられている。コイルばねは、構成部分２０の外部に向かって（すなわち、剛性部２１と端部１２との間の距離がより小さくなる空間２６の部分に向かって）空間２６の内部に収容された回転直動要素２４（例えば、小型シリンダ、爪、又はボール）を押すようになっている。本実施形態と前述した実施形態との間の主要な相違点は、本実施形態では、前述した実施形態におけるハンドグリップ又はノブが中空体又はケーシング２８に置換されている点である。中空体を介して、第２構成部分２０は要素２００に、特に、第１構成部分１０及び要素１００に対向する要素２００の側面に固定されている。中空体２８は、第２構成部分２０の本体上を図中の左から右に向かう方向、及び右から左に向かう方向に（すなわち、端部１２の滑動方向と実質的に平行な方向に沿って）滑動するようになっており、第２コイルばね３０は、第２構成部分２０の本体と中空体２８との間に形成された適切な着座部に収容されている。従って、コイルばね３０は中空体２８を図中の右から左に押すので、中空体がコイルばね３０の作用に対抗して左から右に移動することが分かる。解放要素２７は、中空体２８が左から右に直動する間に中空体２８によって第２構成部分２０の内部に向かって駆動されるのに適している。
【００３７】
上述した実施形態と同様に、構成部分２０の内部に向かって直動する間に、解放要素２７が、回転直動要素２４を、剛性部２１と第１構成部分１０の端部１２との距離がより大きくなる空間２６の部分に向かって押すので、端部１２が第２構成部分２０の外部に向かって直動できるようになり、それにより第１構成部分１０及び第２構成部分２０の相互解放が実現されうる（その結果、要素１００は要素２００から解放される）。従って、本事例においても、端部１２を第２構成部分２０に挿入するだけで第１構成部分１０及び第２構成部分２０の相互ロックが達成される。但し、本事例においては、要素２００に作用を加えて要素２００を要素１００から離れる方向に移動させるだけで相互解放が達成される。このように、第１要素及び第２要素が最初は相互ロック位置に在るため相互に拘束されているので、要素２００に作用を加えて要素２００を要素１００から離れる方向に移動させると、ケーシング２８が先ず第２構成部分２０上で（ばね３０の作用に対抗して）滑動し、次いで解放要素２７を駆動する。その結果、解放要素は、回転直動要素２４の外面が端部１２と接触しなくなるか若しくは僅かに接触するだけの位置に当該要素２４が到達するか、又は回転直動要素２４の外面と端部１２との間の摩擦が最小になる位置に当該要素２４が到達するまで、剛性部２１と端部１２との間の距離がより大きくなる内部空間２６の部分に向かって回転直動要素２４を押すことになる。このようにして、要素２４から端部１２に加わる対抗作用が除去されるので、要素２００が要素１００から離れる方向に移動するように要素２００に加えられる連続的な作用によって、端部１２が構成部分２０の外側に移動するので、２つの構成部分１０，２０及び２つの要素１００，２００が解放される。構成部分２０の内部に向かって直動する解放要素２７が剛性部２１によって妨害又は遮断されるのを防止するために、解放要素２７は構成部分２０の外側に面した剛性部２１の端部を収容する適切な着座部２９を備えている（この点については図２ｂを参照）。
【００３８】
図３ａ及び図３ｂに示す、本発明に係るシステムの実施例において（例によって、既に説明した構成部品及び／又は特性は同じ参照番号によって識別される）、第１構成部分１０は、前述した実施形態の第１構成部分に非常に類似しており、一方の端部は、第１要素１００（例えば棚）に固定されており、第２端部は、第２構成部分２０の内部に滑動可能に収容されている。上記の第２構成部分２０は、本事例においては、下側部品Ｉ及び上側部品Ｓを備えており、上記の下側部品Ｉの中に円錐台形又は漏斗形の着座部が形成されることによって内部空間２６が形成されている。内部空間２６には、ボール２４が回転可能に収容されており、それらボール２４は、上記の円錐台形の着座部の中央ピンの周りに円形に配列されている。弾性推進手段２３は、ボールを円錐台形の着座部の外部に向かって、すなわち、上記の円錐台形の着座部の浅い方の部分に向かって推進するように、中央ピンとボールとの間に配置されている。第１構成部分１０の端部１２が滑動又は直動できる空隙２５が上側部分Ｓの内部に形成されるように、上側部分Ｓは下側部品Ｉの上方に予め定めた距離で位置決めされている。円錐台形の着座部の下面は、上述した実施形態における傾斜部２１に相当するので、ボール、円錐台形の着座部の下面２１、及び端部１２の間の相互作用は、上述した実施形態において発生する作用と非常に類似しており、第１構成部分の端部１２を第２構成部分２０の内部に向かって挿入する工程は、先の実施形態のために説明した工程と殆ど等しい方法で行われる。但し、本実施例の特別な特徴として、図３ｂ中の矢印で示すようにノブ２８を回転させることによって、第１構成部１０の端部１２が滑動する着座部２５の断面が増加するように、上側部分Ｓと下側部分Ｉとの間の距離を変化させる（特に増加させる）ことが可能である点が挙げられる。第２構成部分２０からの第１構成部分１０の解放、すなわち第２要素２００からの第１要素１００の解放は、上側部分Ｓが図３ａに示す位置から図３ｂに示す位置に移動するようにノブ２８に作用を加えることによって達成される。上側部品Ｓが図３ｂに示す位置に在る場合には、端部１２が第２構成部分２０の外部に向かって直動する間に、端部１２が１つ以上のボール２４を回転させることはないので、ボールが円錐台形の着座部２６の外側部分に向かって駆動されることはなく、ボール２４と端部１２との間に摩擦又は抵抗作用が発生することはない。そのため、端部１２は第２構成部分２０の外に自由に移動できる。
【００３９】
図３ｃ及び図３ｄは、上述した実施例の適用例及び／又は使用例を示している。上述した適用例において、第１構成部分１０は、棚１００に固定されており、第２構成部分２０は、ポスト２００、例えば支柱に挿入されている。このように、第１構成部分１０の端部が第２構成部分２０の上側部品Ｓと下側部品Ｉとの間の空隙２５に挿入されることによって、第１要素１００が支柱２００に締結される一方で、上述した通りシステムの２つの構成部品１０，２０が解放されることによって、上記の第１要素１００及び第２要素２００が互いから解放される。本実施例によって提供される利点の１つとして、単一の構成部分２０を使用するとともに第１要素を当該単一の構成部分２０の円周に沿って配列することによって、複数の要素１００を支持体２００に締結できることが挙げられる。
【００４０】
図４ａ〜図４ｃに示す本発明に係るシステムの実施形態は、容器、例えば図中に示す廃棄物コンテナに非常に便利に適用されうる（例によって、他の図面に関連して上述した構成部品及び／又は特徴は、同じ参照番号によって識別される）。但し、本発明の同じ実施形態は、例えば、ダンプカー若しくは重量車両、農業用機械、及び／又は建設機械等にも、先の例と同様に便利に適用されうる。特に、図４ａ〜図４ｃに示す本発明の実施形態によるシステムの第１構成部分１０は、コンテナ３００の本体１００に固定されており、第２構成部分２０は、コンテナのドア２００の適切な着座部に収容されている。上記のドア２００は、例えばヒンジ等の回転式の拘束体２０１を介してコンテナ３００の本体１００に拘束されている。構成部品の配列は前述した実施形態における配列と実質的に同じであるので、第１構成部分１０の端部と第２構成部分２０の内部に収容される構成部品（傾斜面によって形成された内部空間に収容される回転直動要素及びばね等）との間の相互作用に関しては先の説明（特に図１ａ〜図１ｃに示す発明の第１実施形態の説明）を参照する必要があるものの、本実施形態の具体的な特徴は、第２構成部分２０の内部に第２構成部分２０の内部及び外部、特にコンテナ３００の内部及び外部と連通するＶ字形の着座部４３が設けられるという事実によって表されることに留意すべきである。上記の着座部４３の内部には、着座部４３の内部を自由に移動可能な小型の球体４２が配置されている。特に、着座部４３の内部における小型の球体４２の移動は、使用者がコンテナ３００及び／又はドア２００に作用を加えるときに、例えば、使用者がコンテナ３００及び／又はドア２００を図中の矢印Ａ及び矢印Ｂで示されるように回転させるときに、重力の作用によって引き起こされる。レバー４４（以下の説明から明確に理解されるように、レバーは上述したノブ２８と同様の役割を果たす）は、その一部が構成部分２０の内部に滑動可能に収容され、かつ解放要素２７（明瞭化のために図示はしない）と接続されるように配置される一方で、レバー４４の第２部分は、その自由端がコンテナ３００の外側に面したＶ字形の着座部の開口部のレベルになるように配置される。レバー４４に対する構成部分２０の反対側には、回転式の拘束体４１、例えばヒンジを介して構成部分２０に回転式に拘束された第２ロッキングレバー４０が設けられており、第２レバー４０の端部がコンテナ３００内側に面した着座部４３の開口部のレベルにされる一方で、レバー４１の反対側の端部は、解放要素２７のレベルに位置決めされる。
【００４１】
従って、システムの２つの構成部分１０，２０の相互解放、及びそれによるドア２００の開放は、以下のように要約されうる。
【００４２】
図４ｂ中の矢印Ｂの方向に（すなわち右回りに）コンテナを回転させると、小型の球体がレバー４４に衝突することによってレバー４４がコンテナ３００及び第２構成成分２０の外部に向かって推進されて直動するまで、小型の球体が上記の着座部４３の外側の開口部に向かって着座部４３の内部を滑動するので、その時点で回転要素に作用している解放要素２７は、回転要素と第１構成部分１０との間に生じる摩擦、すなわち抵抗作用が除去されるか又は少なくとも減少して第１構成部分１０及び第２構成部分２０の相互解放が実現される位置に到達するまで、構成部分２０の内部に収容されたレバー４４の部分によって当該部分と一緒に動かされる。このように常に重力の作用によってドアが図４ｃに示すように自動的に開けられ、その結果、コンテナが空にされうる。
【００４３】
同様に、図４ａ中の矢印Ａの方向に回転するようにドア２００に作用を加えると、先ず、第１構成部分１０及び第２構成部分２０が互いに拘束された状態で、コンテナ３００の全体が少なくとも部分的に同じ回転方向（左回り）に回転される。引き続きドア２００（及び／又はコンテナの全体）が同じ回転方向に回転されると、小型の球体４２が重力によって着座部４３の内部でコンテナの内側に面した着座部４３の開口部に向かって移動して、上記の開口部のレベルに位置決めされたロッキングレバー４０の端部に衝突する。小型の球体４２がロッキングレバー４０の端部に衝突すると、ロッキングレバーの端部が拘束体４１の周りで回転されるので、ロックキングレバーの第２端部が構成部分２０の内部に向かって押されることによって、解放要素２７が第２端部の押し動作中に第２端部と一緒に動かされる。この時点で、第１構成部分１０及び第２構成部分２０は相互に解放されているので、ドア２００を開けることが可能である。上述した内容から明らかなように、本実施形態によって提供される大きな利点として、システムの構成部分１０，２０の相互解放（及びそれによるコンテナ１００の本体からのドア２００の解放）がドア又はコンテナに直接的な作用を加えることによって達成されるので、システムの２つの構成部分の一方には直接的な作用を加える必要がない点が挙げられる。
【００４４】
本発明に係るシステムの実施例について、図５ａ及び図５ｂを参照して以下に説明する。
【００４５】
本実施例において、システムの第１構成部分１０は、第１要素１００の適切な着座部１０１に挿入されて当該着座部に部分的に収容されるのに適した中空の管状要素の形状を有している。第２構成部分２０は、第１構成部分１０の端部１２を収容するのに適した中空体によって構成されており、本事例における端部は第１要素１００の片側（図５ａ及び図５ｂの右側）に延びている。第１要素１００に向かって直径が減少する円錐台形の表面２２を形成する上記の端部１２の部分は、第１構成部分１０の端部１２の外面から延びている。同様に、第２構成部分２０は、円錐台形の表面２２に対向する円錐台形の表面を形成する円錐台形の部分２１を備えており、それにより空隙２６が形成されている。円錐台形の部分２２によって形成された円錐台形の表面には、ボール又は同様の要素のような回転要素を収容する円周溝が設けられている。第１構成部分１０は、雄ねじ部を備えた合せ釘５０が係合している半径方向の着座部５５を備えており、上記の合せ釘５０の雄ねじ部は、合せ釘の係合式着座部の雌ねじ部と係合するようになっている。上記の着座部は第２構成部分２０に形成されている。第２合せ釘５１は、第２構成部分２０の内部に向かって突出する当該合せ釘５１の端部が第１構成部分１０の外面の滑動式着座部５２に係合するように、第２構成部分２０のねじ付きの係合式着座部にねじ結合されている。コイルばね２３が、図５ｂに示すように、第１構成部分１０と第２構成部分２０との間に配置されており、それにより特に第２構成部分２０が第１要素１００に向かって、すなわち図５ａ及び図５ｂの右から左に推進されるようになっている。球体２４及び円錐台形の表面２１の機能は、前述した実施形態の対応する部分の機能と同様であるので、簡潔のために上記の機能について詳細な説明は省略し、第１構成部分１０及び第２構成部分２０の相互ロックが、ボールと対応する円錐台形の表面との間の対抗作用によって引き起こされ、それにより第１構成部分が第２構成部分２０から後退して第２構成部分２０の外部に向かって、特に図５ａ及び図５ｂの右から左に向かって滑動するのが防止される、と述べるに留める。本実施形態の場合、第２構成部分２０が第１構成部分１０に対して反対方向（解放方向）に滑動すること、すなわち、第２構成部分２０が要素１００から離れる方向に滑動することが、合せ釘５０によって防止される。上述した通り、合せ釘５０は、第１構成部分１０に設けられた着座部の中に係合している。第１構成部分１０及び第２構成部分２０の相互解放を達成することによって第２構成部分２０を第１要素１００から離れる方向に移動させるためには、合せ釘が係合式着座部５５の外側に移動するように合せ釘５０に作用を加える必要がある（つまり、合せ釘は、偶発的な解放に対する追加の安全機能を発揮する）。この時点で、構成部分２０は、第１構成部分１０の端部１２の外面に設けられた係合式着座部５２に第２合せ釘５１が係合することによって確立される最終位置に到達するまで、要素１００から離れる方向に移動できる（図５ａ及び図５ｂ中の左から右に滑動できる）。第２構成部分２０が最終位置に在る場合には、２つの円錐台形の表面の間の空間が図５ｂに示すように増大しているので、ボール２４と端部１２の外面との間の摩擦及び対抗作用は除去されており、上記の端部１２は構成部分２０から図５ａ及び図５ｂ中の右から左に向かって後退できるので、２つの構成部分１０，２０の相互解放が達成される。さらに、係合着座部５５と端部で係合する合せ釘５０が、第１構成部分１０の外面に圧縮力を加える追加の機能を発揮するので、第１構成部分１０と第２構成部分２０との間の煩わしい緩み及び／又は相互移動が防止される。
【００４６】
図５ｃ及び図５ｄは、直前に説明した実施例の実現可能な使用例の１つ、特に、本発明の上記の実施例によるシステム、例えば棚２００を支持壁１００に固定するシステムの使用例を概略的に示している。事実、特に図５ｄから分かるように、システムの２つの第１構成部分１０は、壁１００から突出するように壁１００に固定可能であり、２つの構成部分２０は、壁１００に対向する棚の縁部（但し、棚の下方でもよい）の対応する位置に固定可能である。上記の対応する位置では、第１構成部分１０及び第２構成部分２０が図５ａに示す相互位置に到達するまで、棚２００を壁１００に向かって移動させることによって、２つの第１構成部分１０の各々が対応する第２構成部分２０に挿入される。図５ａに示す相互位置では、第２構成部分２０が合せ釘５０に作用することによって固定されている。
【００４７】
直前に説明した本発明に係るシステムの実施例の第２の使用例が図５ｅに示されている。この使用例において、ドア又は窓をフレームに回転式に拘束するヒンジは、２つの要素１００，２００から構成されており、システムの第１構成部分１０は、第１要素１００から突出するように第１要素１００に固定されており、システムの第２構成部分２０は、フレームに固定された第２要素２００に回転式に固定されている。システムの２つの構成部分は、適切な開口部５００の高さでドア／窓パネル４００の両面に位置決めされ、第１構成部品１０は、上記の開口部５００を貫通させられる。その後、第１構成部品１０が第２構成部分２０に挿入されると、２つの構成部品が相互に固定されて拘束される。第１構成部分１０及び第２構成部分２０が相互に固定され、かつ上述した通りドア／窓のパネル４００に固定されると、要素２００がフレームに固定可能になる（例えば、スクリュー又は同様の締結手段によって固定可能になる）。従って、第２構成部分２０は要素２００に（例えばヒンジを介して）回転式に固定されるので、ドア／窓のパネル４００はフレームに回転式に拘束される。
【００４８】
図６ａ〜図６ｄに示す実施形態において、本発明に係るシステムは、滑りボルトと、ハンドグリップ又はノブＰと、ドア又は窓に固定されるように、例えば、ドア又は窓に設置された適切な着座部に収容されるように構成された部分Ｍと、を備えるハンドルの形態で実現されている。特に、滑りボルトは、システムの第１構成部分１０と一緒に作製されており、上記の第１構成部分１０の第１端部は側柱Ｓｔの溝に係合するのに適しており、第１構成部分１０の反対側の端部は、第２構成部分２０の内部に滑動可能に（図の左から右に向かう方向及びその逆の方向に滑動可能に）収容されている。特に、コイルばねＥの作用によって、第２構成部分２０がボルト、すなわち第１構成部分１０を伸張位置に維持しており、上記のボルト、すなわち第１構成部分１０の外面と第２構成部分２０によって形成された傾斜面又はテーパー面２１が形成する着座部２６に収容された回転直動要素２４から上記の第１構成部分、すなわちボルト１０の外面に加えられる対抗作用によって、第２構成部分２０内部に向かうボルト、すなわち第１構成部分１０の滑動が防止される（他の実施形態の場合と同様である）。既に説明した通り、コイルばね２３は、第２構成部分２０の内部、すなわちボルト１０の外面と傾斜面又はテーパー面２１との間の距離が減少する空間２６の部分に向かうボルト１０の滑動方向に回転要素（小型シリンダ、爪、ボール等）を押すようになっている。ボルトが第２構成部分２０に対してロックされた図６ｂ中のロック位置においては、ボルト１０が第２構成部分の内部に向かって直動すると、ボルト１０が第２構成部分２０の内部、すなわち表面２１とボルト１０の外面との間の距離が減少する空間２６の部分に向かって移動することによって、回転要素２４の回転及び／又は直動が引き起こされ、その結果、ボルト１０の内部に向かう直動を防止する対抗力が発生するので、既述した実施形態に関して説明したのと殆ど等しい方法で、第２構成部分２０の内部に向かうボルト１０の滑動が防止される。ボルト１０が構成部分２０に対してロックされる位置においては、ボルト１０の外側の端部が側柱Ｓｔのハウジング又は係合式着座部の内部に収容されるので、側柱に対するシステム（及び扉）の相互移動は不可能であり、その結果、ドア／窓パネルが閉鎖位置にロックされる。従って、ドア／窓を開けるには、ボルト１０が第２構成部分２０の内部に向かって滑動できるようにボルト１０を解放するしかない。ボルト１０の解放は下記のように要約されうる。図６ｄから分かるように、ノブＰは、第２構成部分２０の内部に滑動可能に収納された部分Ｐｉに接続されている。上記の部分は、特に対抗力を発生させる２つの表面Ｓｃ２，Ｓｃ１（図６ｄの平面に直交する）を備えた溝Ｓｃ（上から見るとＶ字形である）を備えている。ノブＰが予め定めた方向（ドアから離れる方向又はドアに近づく方向のそれぞれ）に移動されると、溝の表面が要素２４と衝突して、要素２４を傾斜面２１とボルト１０の外面との間の距離がより大きくなる空間２６の部分に向かって推進する（移動させる）。このように、ボルト１０が構成部分２０の内部に向かって直動する間は、回転要素２４が、表面２１とボルト１０の外面との間の距離が減少する空間２６の「狭小」部に向かってさらに推進又は移動されることはなく、回転要素２４が表面２１とボルト１０の外面との間に係合することはないので、構成部分２０の内部に向かうボルト１０の直動に対抗する作用が発生することはない。このような対抗作用は、溝Ｓｃが図６ｂに示す位置に在るときに発生する。従って、ノブＰをドア／窓から離れる方向に移動させると（又はこれを近づく方向に移動させると）と、ボルト１０が第２構成部分２０から解放されることによって、ボルト１０の端部が、ドア／窓が回転する間に（又は、例えば引出しが直動する間に）側柱に設置された溝の内壁に衝突し、その結果、ボルト１０の端部が構成部分２０の内部に向かって押されるので、ドア／窓パネルを側柱Ｓｔから解放することが可能になり、ドア／窓を開けることが可能になる。従って、上記の説明から推論されるように、本発明に係るシステムの本実施形態においても、本発明に係るシステムによって相互に拘束された２つの要素（本事例においては側柱及びドア／窓のパネル）は、システム自体の第１構成部分１０及び第２構成部分２０を相互に解放すための操作と同じ操作によって解放されうる。
【００４９】
言い換えると、ドア／窓を開ける方向にノブＰを押す場合と引く場合の両方において、システム（ハンドル）の２つの構成部分の解放が達成され、実質的にそれと同時にドア／窓が開けられる。
【００５０】
本発明の別の実施形態が、図７ａ及び図７ｂに概略的に示されている。本実施形態は、回転式の拘束体（例えばヒンジ）４１を介して第２構成部分２０に容易に拘束されうるロッキングレバー４０を備えている。ロッキングレバー４０の第１端部４８は、電動ソレノイド６０のレベルに位置決めされており、ロッキングレバー４０の端部４８とは反対側の端部４９は、解放要素２７のレベルに位置決めされている。ソレノイドの作用によって、ロッキングレバーが移動され、特に、第１回転方向（図７ａ及び図７ｂにおける左回り）に回転され、その結果、端部４９が解放要素２７と係合して、解放要素を第２構成部分２０の内部に向かって押すので、第１構成部分１０（その端部は第２構成部分２０の内部に収容されている）及び第２構成部分２０が相互に解放される。同様に、ソレノイド６０は、ロッキングレバー４０を反対方向（図７ａ及び図７ｂにおける右回り）に回転させて解放要素２７を構成部分２０の外部に向かって直動させるように作動又は電気駆動されることもでき、それにより構成部分１０及び構成部分２０の相互ロックが最終的に達成される。
【００５１】
簡潔のために本出願では説明しない別の実施形態において、ソレノイド６０によって構成されたアクチュエータ要素は、同様の機能を果たすのに適した任意の他のアクチュエータシステム、例えば、ピストン、圧縮空気ジェット、モーター、又は任意の電動機構若しくは自動化機構を備えた機械的な移動機構に置換されうる。
【００５２】
本発明に係るロック及び／又は締結用のシステムの別の適用例が図８ａ〜図８ｃに示されている。図面では、例によって、他の図面を参照して既に説明したシステムの構成部品及び／又は特徴が、同じ参照番号で識別される。
【００５３】
図面において、参照番号１００，２００は、ホイール（例えば自動車用のホイール）の支持ディスク及びホイールリムを示している。通常、ねじ付きボルトが支持ディスクから突出して、対応するリムの孔の中に収容される。ホイールの締結は、各ボルトに対応するねじ付きナットを係合させることによって達成される。図８ａ〜図８ｂに示す、本発明に係るシステムの実施形態は、ボルト及びナットによるホイール締結の代替案として提案されている。
【００５４】
この目的のために、４つの第１構成部分１０（但し、個数は必要性及び／又は状況に応じて変更されうる）が、第１要素１００（ホイールの支持ディスクに相当する）に固定されており、上記の第１構成部分１０の各々は、特に、第２要素、すなわちリム２００が取り付けられる要素１００の側面で各々の第１構成部分１０の端部１２が上記の第１要素１００から突出するように、第１要素１００の収容着座部に部分的に収容されている。特に、第２要素２００は、以下に説明する通り、第２構成部分２０（従来技術において公知である古典的なナットに取って代わる）が各々の第１構成部分１０に係合することによって、第１要素１００に固定される。簡潔のために、以下の説明は、１つの第１構成部分１０及び対応する第２構成部分２０、並びにそれらの相互ロック及び相互解放に関する説明であるが、図中に示す第１構成部分１０及び第２構成部分２０の各々に適用されうる。
【００５５】
第１構成部分１０の突出する端部１２は、僅かに円錐台形にされた縦断面を有し、その断面の直径は、第１要素１００に向かって減少している。上記の端部は、第２構成部分２０によって形成された空間２６の内部に収容されており、その内部で直動するようになっている。特に、上記の内部空間も円錐台形の縦断面を有しており、上記の空間２６の内径も第１要素１００に向かって、すなわち図８ｂ及び図８ｃ中の右から左に向かって減少している。この場合も、第１構成部分１０の端部１２の円錐台形の外面２２と、第２構成部分２０の空間２６の円錐台形の内面２１との間に、空隙が形成されている。
【００５６】
さらに、内部空間２６は、第１構成部分１０の端部１２の反対側で、中空体２８を部分的に収容しており、中空体２８は、第１構成部分１０の端部１２を部分的に収容している。特に、上記の中空体は、空間２６の内部で第１構成部分１０の端部１２上を滑動するようになっている。中空体２８の外面には（特に、空間２６の内部に収容された中空体２８の部分の外面には）、複数のボール２４を収容する円周溝が設けられており、それらボール２８は、中空体の外部でクラウンの形態を呈するように配列されている。中空体２８の外部にはコイルバネ２３が配列されており、コイルばね２３は、特に、中空体２８の外面と、空間２６を形成する第２構成部分２０の内面２１と、の間に収容されている。特に、ばねの第１端部（第１要素１００に対向する端部）は、中空体２８の外面の環状の突出部に衝突するように配列されており、ばね２３の第１端部とは反対側の第２端部は、第２構成部分２０の環状の突出部に衝突するように配列されている。従って、コイルばね２３の役割は、中空体２８が第１要素１０に向かって（図８Ｃ中の左に向かって）押される状態、及びそれによりボール２４が内面２１と外面２との間の距離が減少する空間２６の部分に向かって押される状態を維持することである。
【００５７】
支持ディスク１００におけるリム２００の組み立て位置、並びに第１構成部分１０及び第２構成部分の相互ロック位置は、図８ｂに示す位置である。この図面から推量されるように、リム２００は、各々の第１構成部分１０がリム２００の対応する貫通孔に受容されて収容されるように、ディスク１００に取り付けられている。さらに、ベルビルワッシャＭｔ（その機能は以下で説明する）が、第１構成部分１０の各々のレベルでリム２００とディスク１００との間に挿入されている。つまり、各々の構成部分１０の端部１２は、ディスクと第２構成部分２０との間に配置された対応するベルビルワッシャＭｔの貫通孔に部分的に収容されている。図８ｂに示す相互位置において、第２構成部分２０及び第１構成部分１０は互いに強固に拘束されているので、リム２００は支持ディスク１００に強固に固定されている。事実、図８ｂに示す位置において、コイルばねは、表面２１，２２間の距離がより小さくなる空間２６の部分にボール２４を保持している。
【００５８】
従って、第２構成部分２０を対応する構成部分１０から取り外そうと試みても（第２構成部分を図８ｂ中の右に引いて第１構成部分１０から離脱させようと試みても）、表面２１，２２間に係合しているボール２４が（先の実施形態の事例と同様の方法で）右に向かう第２構成部分２０直動を防止する結果、第２構成部分はリム２００から離れる方向に移動することも第１構成部分１０から取り外されることもできないので、上記の試みはボール２４及び表面２１，２２から相互に加えられる対抗作用によって無効化される。第１構成部分１０からの第２構成部分２０の解放は、以下のように中空体２８に加えられる作用によって達成される。中空体２８を、図面に示す通りコイルばね２３が圧縮されるように第２構成部分２０（空間２６）の外部に向かって図８ｃに矢印で示す左右方向に引くと、表面２１，２２間の距離がより大きくなる空間２６の部分にボール２４が変位するので、上記の表面２１，２２とボール２４との間の相互摩擦が減少または除去される。これにより、構成部分１０における構成部分２０の図中の左から右に向かう方向の滑動に対抗する対抗力も除去される。従って、構成部分２０は、特に図８ｃに示すように構成要素１０から離脱することができる。上述した通り、各々の構成部分２０を対応する構成部分１０から離脱させることによって、リム２００を支持ディスク１００から最終的に解放すること、及びリム２００を支持ディスク１００から取り外すことが可能になる。つまり、ベルビルワッシャＭｔの役割は、第２構成部分２０と第１構成部分１０との間の相互拘束の強化を促進することである。事実、各ベルビルワッシャＭｔは、対応する第２構成部分２０に作用して、第２構成部分を対応する第１構成部分１０から離れる方向に押すようになっているが、上述した通り、当該方向の推進作用は、（上述した通り中空体２８を引いて中空体２８に作用を加えない限りは）ボール２４を表面２１，２２間により一層強固に係合させて固定する効果のみを発揮するので、第２構成部分２０がさらに直動することが防止され、かつ仮説的に存在しうる僅かな緩みが除去される。
【００５９】
本発明に係るシステムの別の実施形態及び適用例について、図９ａ〜図９ｃを参照して以下に説明する。
【００６０】
図９ａ〜図９ｃは、パイプの第１部分１００及び第２部分２００（以下では、それぞれ第１要素及び第２要素とも称される）を示している。上記の第１要素及び第２要素は、図９ａ〜図９ｃに示す本発明に係るシステムの実施形態によって、連続するパイプを構成するように、すなわち、上記の第１要素１００及び第２要素２００の内部の流れ断面を一致させるように、相互に接続されている。この目的のために、第１構成要素１０が第１要素１００の自由端に固定され、第２構成部分２０が第２要素２００の自由端に固定されるので、第１構成部分１０及び第２構成部分２０が相互に拘束されることによって、第１要素１００及び第２要素２００の相互締結が達成される。この目的のために、第１構成部分１０及び第２構成部分２０の両方が、第１要素１００及び第２要素２００の端部にそれぞれ挿入されて当該端部に例えばクランプ又は類似の締結手段によって固定されるのに適した管状の端部を有している。
【００６１】
特に、第１構成部分１０は、第１ダクト１２ｔを備え、かつ実質的に球形の１つの端部１２（構成部分１００に固定される端部とは反対側の端部）を有する。同様に、第２構成部分２０は、第２ダクト２０ｔを備え、かつ実質的に円筒形であり上記の第１構成部分１０の上記の球形端部１２を収容するのに適した１つの端部（要素２００に固定される端部とは反対側の端部）を有する。より詳細には、第２構成部分２０の円筒端部の内部には、上記の第１構成部分１０の上記の実質的に球形の端部１２を収容するのに適した実質的に球形の内部空間２６を形成するシール要素（流体の漏出を防止するのに適している）が設けられている。さらに、上記の第２構成部分２０は、要素２００の反対側の構成部分２０の円筒端部に嵌合する中空体２８を備えており、中空体２８は、構成部分２０の上記の円筒端部上を長手方向に（図中の上下方向に）滑動するようになっている。特に、中空体２８は、構成部分２０の円筒端部の外面上を滑動する外壁と、構成部分１０の円筒端部の内壁上を滑動する内壁と、中空体２８の上記の内壁及び外壁を接続する横断壁と、を備えている。すなわち、構成部分２０の円筒壁の端部は、上記の中空体において外壁、内壁、及び横断壁によって形成されたＵ字形の着座部に収容されている。中空体２８と構成部分２０の円筒端部との間には、中空体２８が第２構成部分２０に対して直動する方向と平行な方向（図中の底部に向かう方向）の推進力を上記の中空体２８の上記の横断壁に加えるのに適した（所望の個数の）コイルばね２３が設けられている。さらに、構成部分２０の内部には、特に、構成部品２０の内面（テーパー状又は円錐台形の部分２１を備えており、図９ｂの下部に例示されている）と構成部分１０の端部１２の外面との間、かつ中空体２８の内壁の上方には、上記の第１構成部分１０の上記の球形部分１２の周囲に実質的に円形に配列された所望の個数のボール２４が設けられている。第１構成部分１０及び第２構成部分２０の相互ロック位置は、図９ｂに示す位置である。この位置において、第１構成部分の球形の端部１２は、着座部２６の内部に収容されている。さらに、ばね２３の作用によって、中空体が構成部分２０（その中空本体）に対して最大伸張位置（図９ｂ中で下向きに押された位置）に維持されており、その位置において、ボール２４は、第１構成部分１０の球形の端部１２の最大直径を有する部分を通り越して配置されている。この位置においては、球形の端部１２を中空の着座部２６から引き抜こうと試みても、ボールが外部に向かって推進されるにすぎない。ところが、このようにボールがテーパー状の表面２１に沿って中空の着座部２６の外部に向かって移動されると、ボールが球形の端部１２と上記のテーパー状の表面２１との間に固定されることになるので、端部１２が中空の着座部２６の外部に向かってさらに直動することが防止される。第１構成部分１０及び第２構成部分２０の相互解放を達成するには、図９ｃに示すように中空体２８に干渉することによって、ばね２３の作用に対抗して中空体２８を第２構成部分２０の本体に向かって推進するだけで十分である。このように、ボール２４は、中空体２８の内壁によって推進されるとともに、同じ内壁によって、テーパー状の表面２１と端部２０の外面との間の距離がより大きくなる構成部分２０の内部空間の部分に向かって、端部１２の外面とテーパー状の表面２１との間で移動される。つまり、ボールは、球形の端部１２の最大直径の部分を越えて移動しうる。この時点では、第１構成部分１０の球形の端部１２が引き抜き方向に引かれても、球形の端部１２が、ボール２４、テーパー状の表面２１、及び球形の端部の外面の間の抵抗状態によって生じる対抗力を受けることはないので、球形の端部１２は中空の着座部２６の外側に自由に移動できる。
【００６２】
例示された関節式の球形部によって、安全な締結が保証されるとともに、複数の方向の関節式の移動及び回転が許容される点が強調されるべきである。
【００６３】
前述した本発明の実施形態において、部分２１（平坦又は円錐台形等の、回転直動要素２４と当接する上面）の傾斜角度は、必要性及び／又は状況に応じて選択可能である。本発明の対象であるシステムを用いて実施されたテストによって、種々の角度に対応する以下の結果が与えられた。角度が１°〜８°（図９ｄを参照）である場合には、円錐形クランプ型の安全なロックが達成される一方で、当該事例では解放操作がより困難になる。従って、上記の角度は、ホイールのハブに本発明のシステムを使用する場合に特に便利である。角度が８°〜１６°（好ましくは１２°）である場合には（図９ｅを参照）、最適な（安全な）ロック結果が達成されるものの、解放が容易であり、解放要素に小さい力（無視できるほどではないとしても）を加えれば十分である。上記の角度は、特にハンドル、例えば標準的なドアのハンドルに適している。１６°〜４５°の角度が選択される場合には（図９ｆを参照）、２つの構成部分１０，２０の間の保持力（閾値）を設定することが可能であり、予め定めた上記の力の閾値（選択角度の関数）が一旦超過されたら、たとえ解放レバーに一切の作用が加えられない場合であってもシステムが開くことになる。このような角度によると、部品の滑動又は摩擦運動が達成されるので、システムが、予め定めた荷重のコネクタ又はブロックとして動作するようになる。従って、上記の角度は、ドア又はドア／窓のパネル、特に、開けるためには予め定めた推進力が必要であるドア又はドア／窓のパネルに本発明に係るシステムを適用するのに特に適している。角度の選択（及び回転直動要素を押された状態に維持する力の選択）は、２つの構成部分１０，２０の間で達成されるべき拘束の形式によって左右される。
【００６４】
図９ｄ〜図９ｆを参照して上述した角度の値が、本出願に記載される本発明の全ての実施形態、及び当業者にとって自明である本発明の全ての変形例に適用可能であることは明らかである。
【００６５】
本発明の別の実施形態及び／又は本発明の構成部品について、図１０ａ及び図１０ｂ〜図１８を参照して以下に説明する。図面においては、例によって、他の図面を参照して既に説明した本発明に係るシステムの構成部品及び／又は特徴が、同じ参照番号によって識別される。
【００６６】
図１０ａ及び図１０ｂに示す実施形態の特別な特徴として、部分２１の形状が挙げられる。図面から推量されるように、本事例において、部分２１は、凸状の上面（回転直動要素２４と当接する表面）を備えること、すなわち、上記の上面の下降部分によって形成されることを特徴としている。特に、凸状の上面は、隣接する２つの平坦な表面Ｐ１，Ｐ２によって形成されており、それら表面Ｐ１，Ｐ２は、共通の頂点で合流しており、水平な基準面に対して予め定めた角度で（同じ角度又は２つの異なる角度で）傾斜している。さらに、下降部分の深さは、部分２１の長さに沿って変化しており、特に、（システムの完成品において）第１構成部分１０に対向する部分２１の端部へ向かって減少している。従って、構成部分１０の端部１２が、他の実施形態に関連して説明したように第２構成部分２０の外部に向かって直動すると、回転直動要素２４も（第１構成部分１０の端部１２、要素２４、及び部分２１の凸状の上面の間の摩擦によって）第２構成要素２０の外部に向かって（図１０ｂの下から上に向かって）移動することになる。その結果、回転直動要素２４が経路の途中で停止するまで凸状面に沿って「上昇」することによって、第１構成部分１０の端部１２のさらなる直動が防止されるので、第１構成部分１０が第２構成部分から引き抜かれることはない。
【００６７】
上記の解決法の別の変形実施形態が図１１ａ及び１１ｂに示されている。本実施形態は、図１０ａ及び図１０ｂを参照して上述した解決法とは、部分２１の長さに沿って変化するのが部分２１の上面の下降部分の深さではなく、隣接して対向する傾斜面Ｐ１，Ｐ２間の相互距離（図１１ａ及び図１１ｂにおける水平方向の距離）であるという点で相違しており、特に、上記の表面Ｐ１，Ｐ２間の距離が第２構成部分２０の外端部に向かって、すなわち第２構成部分２０からの第１構成部分１０の引き抜き方向において減少している点で相違している。対抗要素２４は、第１構成部分１０の端部１２によって第２構成部分２０の外部に向かって（図１１ｂの下から上に向かって）引かれるときに（構成部分１０の端部１２に対抗して）徐々に上向きに押されるので、３つの構成部品の相互ロック（第１の構成部品１０及び第２構成部品２０の相互ロック）が引き起こされて、第２構成部分２０の外部に向かう第１構成部分１０のさらなる直動が防止されるまで、構成部品１０の端部１２、要素２４、及び部分２１の間の抵抗作用が増大することになる。
【００６８】
図１０ａ、図１０ｂ及び図１１ａ、図１１ｂをそれぞれ参照して直前に説明した２つの解決法に係る部分２１が、既に説明した実施形態、及び以下に説明する別の実施形態の傾斜部分２１の代替物として使用可能であることは明らかである。また、直前に説明した解決法が、先の実施形態及び以下に説明する実施形態の傾斜部分２１と組み合わせて使用可能であることも明らかである。この場合、部分２１は、傾斜しており、可変的な深さ及び／又は幅を有する凸状の下降部分を含んだ上面を備えている。
【００６９】
（開放状態、ロック状態、及び解放状態のシステムをそれぞれ示す）図１２ａ〜図１２ｃに示される本発明の別の実施形態の特別な特徴は、解放要素２７の形状及び動作によって表される。本事例において、解放要素２７は、Ｌ字形であり、（要素２７が移動する間に着座部２６の内部に少なくとも部分的に収容されるように）着座部２６のレベルに位置決めされた第１端部と、上記の第１端部から延びる第２部分と、を有している。
【００７０】
弾性対抗要素（例えばコイルばね）７１は、解放要素を休止位置（図１２ａを参照）に維持するように上記の要素２７の上記の第２部分に作用するようになっている。休止位置において、解放要素は第２構成部分２０から所定の距離だけ離間して維持されるので、解放要素２７の第１端部は回転直動要素２４から離れている（接触していない）。従って、弾性要素７１は図中の右から左に向かって推進作用を加えることになる。要素７１から加えられる推進作用に対抗して（図中の左から右に向かって）要素２７に推進作用を加えることによって、システムの解放が達成される。このように、解放要素２７の第１端部が回転直動要素２４に衝突することによって、回転直動要素２４が、ばね２３の作用に対抗して、構成部分２０内部に向かって、すなわち、直動要素がより大きい「緩み」を有することで構成部分１０の端部１２と部分２１との間で実質的に「ルーズ」な状態になる内部空間２６の部分に向かって推進される。部分２１は、傾斜し又は凸状部分及び／又はテーパー状の下降部分を有する上面を備えるか、又は傾斜しかつ凸状部分及び／又はテーパー状の下降部分を有する上面を備える。このように、第１構成部分１０の端部１２は、他の実施形態と同様に第２構成部分２０から引き抜かれることができる（図中の右から左に向かって直動することができる）。また、弾性要素７１が、（必要性及び／又は状況に応じて変化する断面を有する）要素又はピン７０に嵌合され、かつ当該要素又はピン７０によって所定の位置に維持されることが付言されるべきである。当該要素又はピン７０は、構成部分２０に形成された対応する収容着座部の内部で直動可能である。
【００７１】
図１３ａ〜図１３ｃに示す別の実施形態は、図１２ａ〜図１２ｃを参照して直前に説明した実施形態に非常に類似しているが、本実施形態は、弾性要素又はばね２３が磁石７２に置換される点で、直前の実施形態とは（並びに前述及び後述の実施形態とは）相違している。
【００７２】
上記の磁石７２は、特に、同じ極性（図中に示すような正極性、又は状況次第では負極性）を有する２つの部分を備えており、第１部分は直動要素２４に堅固に固定されており、第２部分は第２構成部分２０に堅固に固定されている。２つの部分の間に発生する磁力は、要素２４に堅固に固定された磁石７２の部分を構成部分２０の外部に向かって（図中の右から左に向かって）押すことによって、当該要素２４を構成部分２０の外部に向かって同じ方向に押す傾向を示すことになる。従って、解放要素２７に推進作用が加えられ、解放要素２７の第１端部が回転直動要素に衝突するまで移動するときには、当該推進作用が上記の実施形態における弾性要素の作用ではなく磁力の作用に対抗して加えられることになる。
【００７３】
先の事例と同様に、本発明に係るシステムの複数の状態、すなわち、２つの構成部分１０，２０が相互から解放された状態、相互に拘束された状態、及び相互から解放するのに適した状態を示す、図１４ａ及び図１４ｂで説明される別の実施形態において、解放要素２７は、第１端部２７ｍ（回転直動要素２４に寄り掛かる端部）がいわゆる「形状記憶」式の材料（例えば合金）、すなわち、上記の端部２７ｍに電圧が印加されるか否かに応じて上記の第１端部２７ｍの体積が変化する材料で作製されることを特徴としている。図中に観察されるように、要素２７の第１端部２７ｍに電力を供給する手段となる２本の電線が概略的に示されている。電力供給によって、要素２７の第１端部２７ｍに電圧が印加されると、第１端部２７ｍの体積が増加して回転直動要素２４に当接することによって、回転要素を構成部分２０の内部に向かって推進するので、構成部分１０を構成部分２０から引き抜くことが可能になる。他方、電力供給が除去されると、解放要素２７の第１端部２７ｍが初期状態又は休止状態の体積に戻るので、もはや第１端部２７ｍが回転直動要素に推進作用を加えることはなく、また、回転要素が構成部分１０によって（その端部１２によって）構成部分２０の外部に向かって駆動されると、回転要素が端部１２と部分２１との間にロックされることによって２つの構成部分１０，２０の相互解放が防止される。
【００７４】
図１５ａ〜図１５ｃに示す本発明に係る別の実施形態は、直前に説明した実施形態と同様であり、２つの実施形態の相違点は、解放要素２７（第１端部から延びる第２部分）が拘束要素２７ｍｉを介して構成部分２０に拘束される点、及び形状記憶材料で作製されるのが上記の拘束要素２７ｍｉであるという点である。従って、（電線２７ｃを介して）拘束要素２７ｍｉに対する電圧の供給、及び除去を交互に行うことによって、拘束要素の体積の増加、及び「休止状態」の体積への復帰が交互に引き起こされるので、解放要素２７の構成部分２０からの取り外し、及び構成部品２０への接近が交互に行われるとともに、回転直動要素２４の構成部品２０の内部への（図中の左から右への）推進、及び解放要素２７の第１端部からの解放が交互に行われる。
【００７５】
図１６に示す実施形態における特別な特徴は、構成部分１０の厚み（又は少なくとも構成部分２０に挿入されるように構成された端部１２の厚み）が構成部分１０の長さに沿って変化するような縦断面、特に、構成部分１０の厚みが上記の端部１２に向かって増加するような縦断面を特徴とする構成部分１０の形状によって表される。この解決法は、特に部分２１の形状及び／又は傾斜ないし非傾斜の向きにとは無関係に、他の実施形態の各々に採用されるのに適しており、この解決法によれば、端部１２と回転直動要素２４との間の摩擦、特に、構成部分１０が構成部分２０の外部に向かって直動する間（解放要素が非作動状態にされることによって例えば図１５ａに示す状態にされているのは明らかである）の構成部分１０の端部１２、要素２４、及び部分２１の間の相互抵抗を増大させることが可能であるので、２つの構成部分１０，２０の間の相互拘束をより安全かつ確実にすることが可能である。さらに、構成部分１０（又は少なくともその端部１２）の断面は、必要性及び／又は状況に応じて変更可能であり、例えば長方形又は六角形等の形状を有しうる。
【００７６】
図１７ａ、図１７ｂ、図１７ｃ、及び図１７ｄにそれぞれ示される別の実施形態における着座部２５は種々の形状を取りうる。例えば、図１７ａの実施形態における着座部２５は貫通式の着座部である。つまり、構成部分１０に対向する構成部分２０の側面は、反対側の側面と連通している。本事例において、着座部２５の内径は、不変であってもよいし（図１７ａの場合）、可変的であってもよい（図１７ｄの場合）。直座部２５の内径が可変的であることは、着座部２５の内径が構成部品１０に対向する側面とは反対側の構成部品２０の側面に向かって増加することを意味する。さらに、着座部２５は一端が閉塞されていてもよく（図１７ｂ及び図１７ｃの場合）、その場合も、着座部２５の内径は可変的であってもよいし不変であってもよい。
【００７７】
最後に、図１８は、本発明に係るシステムの特別な実施形態を示す。本実施形態における回転直動要素２４（図中の部分２１と構成部分１０との間に示す）及び部分２１は両方とも特別な形状を有している。図１８に示す要素２４は、実質的に円筒形（実質的に円筒形の主外面によって形成される）であるが、各々が凸面によって形成された２つの円周溝２４ｇ（円周の全体に沿って延びている）を備えている。次に、部分２１は、要素２４と当接する部分２１の上面から延びる２つの対応する突出部（ピラミッド形又は角錐台形の断面を有する）を備える。それら突出部は、部分２１の長さの方向に（図の平面に直角に）延びており、それら突出部の各々は、対応する溝２４ｇに係合している。さらに、突出部２１ｓの高さは、それらの長さに沿って（すなわち図１８の平面に直交する方向に沿って）変更可能であり、また、部分２１は傾斜していても傾斜していなくてもよい。従って、突出部２１ｓの役割は、図１０ａ、図１０ｂ、及び図１１ａ、図１１ｂを参照して上述した実施形態による部分２１の下降部分と同様に、要素２４と部分２１との間の抵抗作用を増大させることである。本実施形態によれば、要素２４と部分２１との間の接触面積を増加させることが可能になるので、システムの構成部分１０及び構成部分２０の間の相互拘束をより安全かつ確実にすることが可能になる（解放要素が非作動状態のとき）。
【００７８】
本発明が上述され図示された実施形態に限定されない点に留意することが重要である。逆に、本出願で説明され図示された実施形態の、当業者にとって自明である全ての変形及び変更は、本発明の技術的範囲に属している。本発明の目的及び範囲は、添付の特許請求の範囲において決定される。
【手続補正２】
【補正対象書類名】特許請求の範囲
【補正対象項目名】全文
【補正方法】変更
【補正の内容】
【特許請求の範囲】
【請求項１】
第１及び第２要素（１００，２００）の相互接続及び相互分離に適した迅速な接続及び／又は締結のためのシステムであって
それぞれ前記第１及び第２要素（１００，２００）に強固に固定されるのに適した第１及び第２構成部分（１０，２０）を備え、
前記第１及び第２構成部分（１０，２０）は、さらに、前記第１及び第２要素（１００，２００）の相互接続及び相互分離が交互に実現されるように、相互に接続され分離されるのに適し、
前記第２構成部分（２０）は、前記第１構成部分（１０）が前記第２構成部分の内部で直動できるように前記第１構成部分（１０）の端部（１２）を収容するのに適し、
前記第２構成部分（２０）は、さらに、前記第２構成部分（２０）の外部に向かう前記第１構成部分（１０）の前記端部（１２）の直動に対抗するのに適した対抗手段を備え、 前記システムは、前記第２構成部分（２０）の内部に収容された回転要素（２４）をさらに備え、
前記回転要素（２４）は、前記第２構成部分（２０）の内部に向かう前記第１構成部分（１０）の前記端部の直動に追従して第１回転方向に回転するように設定されるのに適し、かつ前記第２構成部分（２０）の外部に向かう前記第１構成部分（１０）の前記端部（１２）の直動に追従して前記第１回転方向とは逆の第２回転方向に回転するように設定されるのに適し、
前記対抗手段は、前記第２回転方向における前記回転要素（２４）の回転に対抗するのに適し、
前記第２構成部分（２０）が解放手段（２７，２８，４０，４４）を備え、
前記解放手段（２７，２８，４０，４４）が予め定めた第１移動方向に沿って移動する間に前記解放手段（２７，２８，４０，４４）が前記回転要素（２４）に接触することによって、前記回転要素（２４）が前記第２構成部分（２０）の内部に向かって移動させられ、その結果、前記回転要素（２４）、前記端部（１２）、及び前記対抗手段の間の対抗力が減少させられることを特徴とする、システム。
【請求項２】
前記第２構成部分（２０）が、前記第１構成部分（１０）の前記端部（１２）と一緒に内部空間を形成する剛性部を備え、
前記回転要素（２４）が前記内部空間の中に収容され、
前記第１構成部分（１０）の前記端部（１２）、前記剛性部、及び前記回転要素（２４）は、前記回転要素（２４）に加えられる前記剛性部及び前記端部（１２）の相互作用によって前記対抗手段の対抗力が発生するように、相互に配列されかつ形成されることを特徴とする、請求項１に記載のシステム。
【請求項３】
前記端部、前記剛性部、及び前記回転要素（２４）は、前記第２構成部分（２０）の外部に向かう前記端部の直動、及び前記第２回転方向における前記回転要素（２４）の回転に対抗する前記対抗力が、前記端部が前記第２構成部分（２０）の外部に向かって直動する間は増加する一方で、前記端部（１２）が前記第２構成部分（２０）の内部に向かって直動する間は減少するように、相互に配列されかつ形成されることを特徴とする、請求項１または２に記載のシステム。
【請求項４】
前記端部、前記剛性部（２１）、及び前記回転要素（２４）は、前記第２構成部分（２０）の外部に向かう前記端部（１２）の直動、及び前記第２回転方向における前記回転要素（２４）の回転に対抗する前記対抗力が、前記第２構成部分（２０）の外部に向かう前記端部の直動の間に、前記第２構成部分（２０）の外部に向かう前記端部のさらなる直動及び前記第２回転方向における前記回転要素（２４）のさらなる回転が防止される程度に増加し、その結果、前記対抗力が、前記端部及び前記回転要素（２４）の相互ロックが予め定めた相互位置で引き起こされるまで増加するように、相互に配列されかつ形成されることを特徴とする、請求項３に記載のシステム。
【請求項５】
前記第２構成部分（２０）の前記剛性部（２１）は、前記回転要素（２４）が前記第１回転方向に回転する間に前記回転要素（２４）が前記第１構成部分（１０）の前記端部（１２）に向かって押されるように、前記第１構成部分（１０）に対して方向付けされかつ形成されるか、又は方向付けされ若しくは形成されることを特徴とする、請求項１〜４のいずれか１項に記載のシステム。
【請求項６】
前記回転要素（２４）の前記剛性部（２１）との接点と、前記第２構成部分（２０）の前記端部と、の間の相互距離が、前記第２構成部分（２０）の内部に向かう前記端部（１２）の直動方向に沿って増加する一方で、前記相互距離が、前記第２構成部分（２０）の外部に向かう前記端部（１２）の直動方向へ沿って減少することを特徴とする、請求項５に記載のシステム。
【請求項７】
前記回転要素（２４）は、前記第２構成部分（２０）の内部に向かう前記端部（１２）の直動が前記第２構成部分（２０）の内部に向かう前記回転要素（２４）の少なくとも部分的な直動に変換される一方で、前記第２構成部分（２０）の外部に向かう前記端部（１２）の直動が前記第２構成部分（２０）の外部に向かう前記回転要素（２４）の少なくとも部分的な直動に転換されるように、前記端部（１２）及び前記剛性部（２１）の両方と接触することを特徴とする、請求項６に記載のシステム。
【請求項８】
前記端部（１２）及び前記剛性部（２１）によって形成された内部空間に向かう推進作用を前記回転要素（２４）に加える第１推進手段が、前記第２構成部分（２０）の内部に収容されることを特徴とする、請求項１〜７のいずれか１項に記載のシステム。
【請求項９】
前記第１推進手段が弾性手段（２３）を備えることを特徴とする、請求項８に記載のシステム。
【請求項１０】
前記第１推進手段が、磁気及び／又は電磁気による手段（７２ａ，７２ｂ）を備えることを特徴とする、請求項８に記載のシステム。
【請求項１１】
前記第２構成部分（２０）が、前記解放手段の前記第１移動方向とは逆の第２移動方向に沿って前記解放手段に推進作用を加える第２推進手段を備えることを特徴とする、請求項１〜１０のいずれか１項に記載のシステム。
【請求項１２】
前記第２推進手段が弾性手段（７１）を備えることを特徴とする、請求項１１に記載のシステム。
【請求項１３】
前記第２推進手段が電磁気による手段（６０）を備えることを特徴とする、請求項１１に記載のシステム。
【請求項１４】
前記第２構成部分（２０）が、前記解放手段と結合されたアクチュエータ手段を備え、
前記アクチュエータ手段は、前記解放手段が前記第１移動方向に沿って移動すること、すなわち、前記解放手段が前記第２推進手段から加えられた推進作用に対抗して移動することを可能にすることを特徴とする、請求項１〜１３のいずれか１項に記載のシステム。
【請求項１５】
前記アクチュエータ手段が電磁気による手段（６０）を備えることを特徴とする、請求項１４に記載のシステム。
【請求項１６】
前記アクチュエータ手段が、形状記憶材料で作られた少なくとも１つの部分を備えることを特徴とする、請求項１４に記載のシステム。
【国際調査報告】
2015516548.tif 000062
2015516548.tif 000063